(57)【要約】  本願は、通信方法、セカンダリネットワークノード及び端末を開示し、該方法は、セカンダリネットワークノードが前記セカンダリネットワークノードによりサービスを提供するセルのネットワーク状態を取得することと、前記セカンダリネットワークノードが前記セカンダリネットワークノードによりサービスを提供するセルのネットワーク状態に基づき、前記セカンダリネットワークノードによりサービスを提供するセルのネットワーク構成を更新することと、前記セカンダリネットワークノードが前記端末へ前記セカンダリネットワークノードによりサービスを提供するセルのネットワーク構成を更新する第１の更新構成情報を送信することと、を含む。本願の実施例は、セカンダリネットワークノードがセカンダリネットワークノードによりサービスを提供するセルのネットワーク状態に基づき、セカンダリネットワークノードによりサービスを提供するセルのネットワーク構成を自主的に更新し、従来技術では、セカンダリネットワークノードのネットワーク状態をマスターネットワークノードで構成する必要があることを回避し、二重接続シナリオにおけるマスターネットワークノードの負荷を減少させ、マスターネットワークノードの負荷が大きいことによるネットワーク輻輳のリスクを低減させる。
2020511844.tif 000002
【特許請求の範囲】
【請求項１】
通信方法であって、
セカンダリネットワークノードが前記セカンダリネットワークノードによりサービスを提供するセルのネットワーク状態を取得することと、
前記セカンダリネットワークノードが前記セカンダリネットワークノードによりサービスを提供するセルのネットワーク状態に基づき、前記セカンダリネットワークノードによりサービスを提供するセルのネットワーク構成を更新することと、
前記セカンダリネットワークノードが前記端末へ前記セカンダリネットワークノードによりサービスを提供するセルのネットワーク構成を更新する第１の更新構成情報を送信することと、を含むことを特徴とする通信方法。
【請求項２】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項１に記載の方法。
【請求項３】
前記セカンダリネットワークノードが前記セカンダリネットワークノードによりサービスを提供するセルのネットワーク状態に基づき、前記セカンダリネットワークノードによりサービスを提供するセルのネットワーク構成を更新することは、
前記セカンダリネットワークノードが前記セカンダリネットワークノードによりサービスを提供するセルのネットワーク状態に基づき、前記セカンダリネットワークノードによりサービスを提供するセルを更新することを含み、
前記セカンダリネットワークノードが前記端末へ前記セカンダリネットワークノードによりサービスを提供するセルのネットワーク構成を更新する第１の更新構成情報を送信することは、
前記セカンダリネットワークノードが前記端末へ前記セカンダリネットワークノードによりサービスを提供するセルを更新する前記第１の更新構成情報を送信することを含むことを特徴とする請求項１又は２に記載の方法。
【請求項４】
前記セカンダリネットワークノードが前記セカンダリネットワークノードによりサービスを提供するセルのネットワーク状態を取得することは、
前記セカンダリネットワークノードが前記端末により送信された、前記セカンダリネットワークノードによりサービスを提供するセルの測定報告を送信し、前記測定報告は前記セカンダリネットワークノードによりサービスを提供するセルのネットワーク状態を指示することを含むことを特徴とする請求項３に記載の方法。
【請求項５】
前記セカンダリネットワークノードによりサービスを提供するセルのネットワーク状態は、前記セカンダリネットワークノードによりサービスを提供するセルと前記端末とが通信するリンクのリンク状態を含み、
前記セカンダリネットワークノードが前記セカンダリネットワークノードによりサービスを提供するセルのネットワーク状態に基づき、前記セカンダリネットワークノードによりサービスを提供するセルのネットワーク構成を更新することは、
前記セカンダリネットワークノードが前記リンク状態に基づき、前記セカンダリネットワークノードによりサービスを提供するセルと前記端末とが通信する前記リンクを更新することを含み、
前記セカンダリネットワークノードが前記端末へ前記セカンダリネットワークノードによりサービスを提供するセルのネットワーク構成を更新する第１の更新構成情報を送信することは、
前記セカンダリネットワークノードが前記端末へ前記リンクを更新する前記第１の更新構成情報を送信することを含むことを特徴とする請求項１又は２に記載の方法。
【請求項６】
前記リンク状態は、前記セカンダリネットワークノードによりサービスを提供するセルと前記端末が信号を転送する信号品質を含み、
前記セカンダリネットワークノードが前記リンク状態に基づき、前記セカンダリネットワークノードによりサービスを提供するセルと前記端末とが通信する前記リンクを更新することは、
前記セカンダリネットワークノードが前記セカンダリネットワークノードによりサービスを提供するセルと前記端末が信号を転送する信号品質に基づき、前記信号を転送するリンクを更新することを含むことを特徴とする請求項５に記載の方法。
【請求項７】
前記セカンダリネットワークノードによりサービスを提供するセルのネットワーク状態は、前記セカンダリネットワークノードと前記端末とが接続する接続状態を含み、
前記セカンダリネットワークノードが前記セカンダリネットワークノードによりサービスを提供するセルのネットワーク状態に基づき、前記セカンダリネットワークノードによりサービスを提供するセルのネットワーク構成を更新することは、
前記セカンダリネットワークノードが前記セカンダリネットワークノードと前記端末とが接続する接続状態に基づき、前記セカンダリネットワークノードによりサービスを提供するセルのネットワーク構成を更新することを含むことを特徴とする請求項１又は２に記載の方法。
【請求項８】
前記セカンダリネットワークノードと前記端末とが接続する接続状態は前記接続の失敗を指示し、
前記セカンダリネットワークノードが前記セカンダリネットワークノードと前記端末とが接続する接続状態に基づき、前記セカンダリネットワークノードによりサービスを提供するセルのネットワーク構成を更新することは、
前記セカンダリネットワークノードが前記セカンダリネットワークノードと前記端末とが接続する接続状態に基づき、前記セカンダリネットワークノードと前記端末との間の接続をリリースすることを含み、
前記セカンダリネットワークノードが前記端末へ前記セカンダリネットワークノードによりサービスを提供するセルのネットワーク構成を更新する前記第１の更新構成情報を送信することは、
前記セカンダリネットワークノードが前記端末へ前記セカンダリネットワークノードと前記端末との間の接続をリリースする前記第１の更新構成情報を送信することを含むことを特徴とする請求項６に記載の方法。
【請求項９】
前記セカンダリネットワークノードが前記セカンダリネットワークノードによりサービスを提供するセルのネットワーク状態を取得することは、
前記セカンダリネットワークノードが前記端末により送信された、前記セカンダリネットワークノードによりサービスを提供するセルと前記端末とが接続する接続状態を受信することを含むことを特徴とする請求項７又は８に記載の方法。
【請求項１０】
前記セカンダリネットワークノードが、前記端末が前記セカンダリネットワークノードを介して転送しようとするデータである転送待ちデータを前記マスターネットワークノードへ送信することをさらに含むことを特徴とする請求項８又は９に記載の方法。
【請求項１１】
前記セカンダリネットワークノードが前記端末へ前記セカンダリネットワークノードと前記端末との間の接続を再確立する再確立メッセージを送信することをさらに含むことを特徴とする請求項８又は９に記載の方法。
【請求項１２】
前記セカンダリネットワークノードが前記マスターネットワークノードへ前記セカンダリネットワークノードと前記端末との間の接続の再確立を指示する指示情報を送信することを特徴とする請求項１１に記載の方法。
【請求項１３】
前記指示情報には前記セカンダリネットワークノードと前記端末との間の接続の再確立の原因が含められることを特徴とする請求項１２に記載の方法。
【請求項１４】
前記セカンダリネットワークノードによりサービスを提供するセルのネットワーク状態は、前記セカンダリネットワークノードによりサービスを提供するセルのベアラの状態を含み、
前記セカンダリネットワークノードが前記セカンダリネットワークノードによりサービスを提供するセルのネットワーク状態を取得することは、
前記セカンダリネットワークノードが前記セカンダリネットワークノードによりサービスを提供するセルの前記ベアラの状態を取得することを含み、
前記セカンダリネットワークノードが前記セカンダリネットワークノードによりサービスを提供するセルのネットワーク状態に基づき、前記セカンダリネットワークノードによりサービスを提供するセルのネットワーク構成を更新することは、
前記セカンダリネットワークノードが前記ベアラの状態に基づき、前記セカンダリネットワークノードによりサービスを提供するセルのベアラを更新することを含み、
前記セカンダリネットワークノードが前記端末へ前記セカンダリネットワークノードによりサービスを提供するセルの構成を更新する第１の更新構成情報を送信することは、
前記セカンダリネットワークノードが前記端末へ前記セカンダリネットワークノードによりサービスを提供するセルのベアラを更新する前記第１の更新構成情報を送信することを含むことを特徴とする請求項１又は２に記載の方法。
【請求項１５】
前記セカンダリネットワークノードによりサービスを提供するマスターセルは第１のセルであり、
前記セカンダリネットワークノードが前記セカンダリネットワークノードによりサービスを提供するセルのネットワーク状態を取得することは、
前記セカンダリネットワークノードが前記第１のセルのネットワーク状態を取得することを含み、
前記セカンダリネットワークノードが前記セカンダリネットワークノードによりサービスを提供するセルのネットワーク状態に基づき、前記セカンダリネットワークノードによりサービスを提供するセルのネットワーク構成を更新することは、
前記セカンダリネットワークノードが前記第１のセルのネットワーク状態に基づき、前記マスターセルを前記第１のセルから第２のセルにハンドオーバーすることを含み、前記第２のセルは前記セカンダリネットワークノードによりサービスを提供するセルのうちの前記第１のセルを除くセルであり、
前記セカンダリネットワークノードが前記端末へ前記セカンダリネットワークノードによりサービスを提供するセルの構成を更新する第１の更新構成情報を送信することは、
前記セカンダリネットワークノードが前記端末へ前記マスターセルを前記第１のセルから前記第２のセルにハンドオーバーする前記第１の更新構成情報を送信することを含むことを特徴とする請求項１又は２に記載の方法。
【請求項１６】
前記セカンダリネットワークノードが前記マスターネットワークノードへ更新後の前記セカンダリネットワークノードのネットワーク構成を指示する第２の更新構成情報を送信することをさらに含むことを特徴とする請求項１−１５のいずれか１項に記載の方法。
【請求項１７】
通信方法であって、
端末がセカンダリネットワークノードにより送信された、前記セカンダリネットワークノードによりサービスを提供するセルのネットワーク構成を更新する第１の更新構成情報を受信し、前記セカンダリネットワークノードによりサービスを提供するセルのネットワーク構成は、前記セカンダリネットワークノードが前記セカンダリネットワークノードによりサービスを提供するセルのネットワーク状態に基づいて更新されることと、
前記端末が前記第１の更新構成情報に基づいて前記セカンダリネットワークノードと通信することと、を含むことを特徴とする通信方法。
【請求項１８】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項１７に記載の方法。
【請求項１９】
前記端末がセカンダリネットワークノードにより送信された第１の更新構成情報を受信することは、
前記端末が前記セカンダリネットワークノードにより送信された、前記セカンダリネットワークノードによりサービスを提供するセルを更新する第１の更新構成情報を受信することを含み、
前記端末が前記第１の更新構成情報に基づいて前記セカンダリネットワークノードと通信することは、
前記端末が前記第１の更新構成情報に基づいて、更新後の前記セカンダリネットワークノードによりサービスを提供するセルを確定することと、
前記端末が前記更新後の前記セカンダリネットワークノードによりサービスを提供するセルを介して前記セカンダリネットワークノードと通信することと、を含むことを特徴とする請求項１７又は１８に記載の方法。
【請求項２０】
前記端末が前記セカンダリネットワークノードへ前記セカンダリネットワークノードによりサービスを提供するセルの測定報告を送信し、前記測定報告は前記セカンダリネットワークノードによりサービスを提供するセルのネットワーク状態を指示することをさらに含むことを特徴とする請求項１９に記載の方法。
【請求項２１】
前記セカンダリネットワークノードによりサービスを提供するセルのネットワーク状態は、前記セカンダリネットワークノードによりサービスを提供するセルと前記端末とが通信するリンクのリンク状態を含み、
前記端末がセカンダリネットワークノードにより送信された第１の更新構成情報を受信することは、
前記端末が前記セカンダリネットワークノードにより送信された、前記リンクを更新する前記第１の更新構成情報を受信することを含み、
前記端末が前記第１の更新構成情報に基づいて前記セカンダリネットワークノードと通信することは、
前記端末が前記第１の更新構成情報に基づいて更新後のリンクを確定することと、  
前記端末が前記更新後のリンクを介して前記セカンダリネットワークノードと通信することと、を含むことを特徴とする請求項１７又は１８に記載の方法。
【請求項２２】
前記リンク状態は、前記セカンダリネットワークノードによりサービスを提供するセルと前記端末が信号を転送する信号品質を含むことを特徴とする請求項２１に記載の方法。
【請求項２３】
前記セカンダリネットワークノードによりサービスを提供するセルのネットワーク状態は、前記セカンダリネットワークノードと前記端末とが接続する接続状態を含み、前記接続状態が前記接続の失敗を指示し、
前記端末がセカンダリネットワークノードにより送信された第１の更新構成情報を受信することは、
前記端末が前記セカンダリネットワークノードにより送信された、前記セカンダリネットワークノードと前記端末との間の接続をリリースする前記第１の更新構成情報を受信することを含むことを特徴とする請求項１７又は１８に記載の方法。
【請求項２４】
前記端末が前記セカンダリネットワークノードへ前記セカンダリネットワークノードによりサービスを提供するセルと前記端末とが接続する接続状態を送信することをさらに含むことを特徴とする請求項２３に記載の方法。
【請求項２５】
前記端末が前記セカンダリネットワークノードにより送信された、前記セカンダリネットワークノードと前記端末との間の接続を再確立する再確立メッセージを受信することをさらに含むことを特徴とする請求項２４に記載の方法。
【請求項２６】
前記セカンダリネットワークノードによりサービスを提供するセルのネットワーク状態は、前記セカンダリネットワークノードによりサービスを提供するセルのベアラの状態を含み、
前記端末がセカンダリネットワークノードにより送信された第１の更新構成情報を受信することは、
前記端末が前記セカンダリネットワークノードにより送信された、前記セカンダリネットワークノードによりサービスを提供するセルのベアラを更新する前記第１の更新構成情報を受信することを含み、
前記端末が前記第１の更新構成情報に基づいて前記セカンダリネットワークノードと通信することは、
前記端末が前記第１の更新構成情報に基づいて更新後のベアラを確定することと、
前記端末が前記更新後のベアラを介して前記セカンダリネットワークノードと通信することと、を含むことを特徴とする請求項１７又は１８に記載の方法。
【請求項２７】
前記セカンダリネットワークノードによりサービスを提供するマスターセルは第１のセルであり、
前記端末がセカンダリネットワークノードにより送信された第１の更新構成情報を受信することは、
前記端末が前記セカンダリネットワークノードにより送信された、前記マスターセルを前記第１のセルから前記第２のセルにハンドオーバーする前記第１の更新構成情報を受信し、前記第２のセルは前記セカンダリネットワークノードによりサービスを提供するセルのうちの前記第１のセルを除くセルであり、
前記端末が前記第１の更新構成情報に基づいて前記セカンダリネットワークノードと通信することは、
前記端末が前記第１の更新構成情報が指示する前記第２のセルを介して前記セカンダリネットワークノードと通信することを含むことを特徴とする請求項１７又は１８に記載の方法。
【請求項２８】
前記端末がマスターネットワークノードへ更新後の前記セカンダリネットワークノードのネットワーク構成を指示する第２の更新構成情報を送信することをさらに含むことを特徴とする請求項１７−２７のいずれか１項に記載の方法。
【請求項２９】
セカンダリネットワークノードであって、
前記セカンダリネットワークノードによりサービスを提供するセルのネットワーク状態を取得する取得モジュールと、
前記セカンダリネットワークノードによりサービスを提供するセルのネットワーク状態に基づき、前記セカンダリネットワークノードによりサービスを提供するセルのネットワーク構成を更新する更新モジュールと、
前記端末へ前記セカンダリネットワークノードによりサービスを提供するセルのネットワーク構成を更新する第１の更新構成情報を送信する送信モジュールと、を備えることを特徴とするセカンダリネットワークノード。
【請求項３０】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項２９に記載のセカンダリネットワークノード。
【請求項３１】
前記更新モジュールは、具体的には、
前記セカンダリネットワークノードによりサービスを提供するセルのネットワーク状態に基づき、前記セカンダリネットワークノードによりサービスを提供するセルを更新し、
前記送信モジュールは、具体的には、
前記端末へ前記セカンダリネットワークノードによりサービスを提供するセルを更新する前記第１の更新構成情報を送信することを特徴とする請求項２９又は３０に記載のセカンダリネットワークノード。
【請求項３２】
前記取得モジュールは、具体的には、
前記端末により送信された、前記セカンダリネットワークノードによりサービスを提供するセルの測定報告を送信し、前記測定報告は前記セカンダリネットワークノードによりサービスを提供するセルのネットワーク状態を指示することを特徴とする請求項３１に記載のセカンダリネットワークノード。
【請求項３３】
前記セカンダリネットワークノードによりサービスを提供するセルのネットワーク状態は、前記セカンダリネットワークノードによりサービスを提供するセルと前記端末とが通信するリンクのリンク状態を含み、
前記更新モジュールは、具体的には、
前記リンク状態に基づき、前記セカンダリネットワークノードによりサービスを提供するセルと前記端末とが通信する前記リンクを更新し、
前記送信モジュールは、具体的には、
前記端末へ前記リンクを更新する前記第１の更新構成情報を送信することを特徴とする請求項２９又は３０に記載のセカンダリネットワークノード。
【請求項３４】
前記リンク状態は、前記セカンダリネットワークノードによりサービスを提供するセルと前記端末が信号を転送する信号品質を含み、
前記更新モジュールは、具体的には、
前記セカンダリネットワークノードによりサービスを提供するセルと前記端末が信号を転送する信号品質に基づき、前記信号を転送するリンクを更新することを特徴とする請求項３３に記載のセカンダリネットワークノード。
【請求項３５】
前記セカンダリネットワークノードによりサービスを提供するセルのネットワーク状態は、前記セカンダリネットワークノードと前記端末とが接続する接続状態を含み、
前記更新モジュールは、具体的には、
前記セカンダリネットワークノードが前記セカンダリネットワークノードと前記端末とが接続する接続状態に基づき、前記セカンダリネットワークノードによりサービスを提供するセルのネットワーク構成を更新することを特徴とする請求項２９又は３０に記載のセカンダリネットワークノード。
【請求項３６】
前記セカンダリネットワークノードと前記端末とが接続する接続状態は前記接続の失敗を指示し、
前記更新モジュールは、具体的には、
前記セカンダリネットワークノードと前記端末とが接続する接続状態に基づき、前記セカンダリネットワークノードと前記端末との間の接続をリリースし、
前記送信モジュールは、具体的には、
前記端末へ前記セカンダリネットワークノードと前記端末との間の接続をリリースする前記第１の更新構成情報を送信することを特徴とする請求項３５に記載のセカンダリネットワークノード。
【請求項３７】
前記取得モジュールは、具体的には、
前記端末により送信された、前記セカンダリネットワークノードによりサービスを提供するセルと前記端末とが接続する接続状態を受信することを特徴とする請求項３５又は３６に記載のセカンダリネットワークノード。
【請求項３８】
前記送信モジュールは、具体的には、
前記端末が前記セカンダリネットワークノードを介して転送しようとするデータである転送待ちデータを前記マスターネットワークノードへ送信することを特徴とする請求項３６又は３７に記載のセカンダリネットワークノード。
【請求項３９】
前記送信モジュールはさらに、
前記端末へ前記セカンダリネットワークノードと前記端末との間の接続を再確立する再確立メッセージを送信することを特徴とする請求項３６又は３７に記載のセカンダリネットワークノード。
【請求項４０】
前記送信モジュールはさらに、
前記マスターネットワークノードへ前記セカンダリネットワークノードと前記端末との間の接続の再確立を指示する指示情報を送信することを特徴とする請求項３９に記載のセカンダリネットワークノード。
【請求項４１】
前記指示情報には前記セカンダリネットワークノードと前記端末との間の接続の再確立の原因が含められることを特徴とする請求項４０に記載のセカンダリネットワークノード。
【請求項４２】
前記セカンダリネットワークノードによりサービスを提供するセルのネットワーク状態は、前記セカンダリネットワークノードによりサービスを提供するセルのベアラの状態を含み、
前記取得モジュールは、具体的には、
前記セカンダリネットワークノードによりサービスを提供するセルの前記ベアラの状態を取得し、
前記更新モジュールは、具体的には、
前記ベアラの状態に基づき、前記セカンダリネットワークノードによりサービスを提供するセルのベアラを更新し、
前記送信モジュールは、具体的には、
前記端末へ前記セカンダリネットワークノードによりサービスを提供するセルのベアラを更新する前記第１の更新構成情報を送信することを特徴とする請求項２９又は３０に記載のセカンダリネットワークノード。
【請求項４３】
前記セカンダリネットワークノードによりサービスを提供するマスターセルは第１のセルであり、
前記取得モジュールは、具体的には、
前記第１のセルのネットワーク状態を取得し、
前記更新モジュールは、具体的には、
前記第１のセルのネットワーク状態に基づき、前記マスターセルを前記第１のセルから第２のセルにハンドオーバーし、前記第２のセルは前記セカンダリネットワークノードによりサービスを提供するセルのうちの前記第１のセルを除くセルであり、
前記送信モジュールは、具体的には、
前記端末へ前記マスターセルを前記第１のセルから前記第２のセルにハンドオーバーする前記第１の更新構成情報を送信することを特徴とする請求項２９又は３０に記載のセカンダリネットワークノード。
【請求項４４】
前記送信モジュールはさらに、
前記マスターネットワークノードへ更新後の前記セカンダリネットワークノードのネットワーク構成を指示する第２の更新構成情報を送信することを特徴とする請求項２９−４３のいずれか１項に記載のセカンダリネットワークノード。
【請求項４５】
端末であって、
セカンダリネットワークノードにより送信された、前記セカンダリネットワークノードによりサービスを提供するセルのネットワーク構成を更新する第１の更新構成情報を受信し、前記セカンダリネットワークノードによりサービスを提供するセルのネットワーク構成は、前記セカンダリネットワークノードが前記セカンダリネットワークノードによりサービスを提供するセルのネットワーク状態に基づいて更新される受信モジュールと、
前記第１の更新構成情報に基づいて前記セカンダリネットワークノードと通信する通信モジュールと、を備えることを特徴とする端末。
【請求項４６】
前記セカンダリネットワークノードによりサービスを提供するセルのネットワーク状態は、
前記セカンダリネットワークノードによりサービスを提供するセルの輻輳状態、
前記端末が前記セカンダリネットワークノードを介して転送しようとする転送待ちデータ量、
前記端末の転送待ちデータを転送する前記セカンダリネットワークノードによりサービスを提供するセルのベアラの状態、
前記セカンダリネットワークノードによりサービスを提供するセルと前記端末が信号を転送する信号品質、
前記セカンダリネットワークノードと前記端末とが接続されている接続状態、
及び前記セカンダリネットワークノードと前記端末とが通信するリンクのリンク状態という情報のうちの少なくとも１種を含むことを特徴とする請求項４５に記載の端末。
【請求項４７】
前記受信モジュールは、具体的には、
前記セカンダリネットワークノードにより送信された、前記セカンダリネットワークノードによりサービスを提供するセルを更新する第１の更新構成情報を受信し、
前記通信モジュールは、具体的には、
前記第１の更新構成情報に基づいて、更新後の前記セカンダリネットワークノードによりサービスを提供するセルを確定し、
前記更新後の前記セカンダリネットワークノードによりサービスを提供するセルを介して前記セカンダリネットワークノードと通信することを特徴とする請求項４５又は４６に記載の端末。
【請求項４８】
前記端末は、
前記セカンダリネットワークノードへ前記セカンダリネットワークノードによりサービスを提供するセルの測定報告を送信し、前記測定報告は前記セカンダリネットワークノードによりサービスを提供するセルのネットワーク状態を指示する第１の送信モジュールをさらに備えることを特徴とする請求項４７に記載の端末。
【請求項４９】
前記セカンダリネットワークノードによりサービスを提供するセルのネットワーク状態は、前記セカンダリネットワークノードによりサービスを提供するセルと前記端末とが通信するリンクのリンク状態を含み、
前記受信モジュールは、具体的には、
前記セカンダリネットワークノードにより送信された、前記リンクを更新する前記第１の更新構成情報を受信し、
前記通信モジュールは、具体的には、
前記第１の更新構成情報に基づいて更新後のリンクを確定し、  
前記更新後のリンクを介して前記セカンダリネットワークノードと通信することを特徴とする請求項４５又は４６に記載の端末。
【請求項５０】
前記リンク状態は、前記セカンダリネットワークノードによりサービスを提供するセルと前記端末が信号を転送する信号品質を含むことを特徴とする請求項４９に記載の端末。
【請求項５１】
前記セカンダリネットワークノードによりサービスを提供するセルのネットワーク状態は、前記セカンダリネットワークノードと前記端末とが接続する接続状態を含み、前記接続状態が前記接続の失敗を指示し、
前記受信モジュールは、具体的には、
前記セカンダリネットワークノードにより送信された、前記セカンダリネットワークノードと前記端末との間の接続をリリースする前記第１の更新構成情報を受信することを特徴とする請求項４５又は４６に記載の端末。
【請求項５２】
前記端末は、
前記セカンダリネットワークノードへ前記セカンダリネットワークノードによりサービスを提供するセルと前記端末とが接続する接続状態を送信する第２の送信モジュールをさらに備えることを特徴とする請求項５１に記載の端末。
【請求項５３】
前記受信モジュールはさらに、
前記セカンダリネットワークノードにより送信された、前記セカンダリネットワークノードと前記端末との間の接続を再確立する再確立メッセージを受信することを特徴とする請求項５２に記載の端末。
【請求項５４】
前記セカンダリネットワークノードによりサービスを提供するセルのネットワーク状態は、前記セカンダリネットワークノードによりサービスを提供するセルのベアラの状態を含み、
前記受信モジュールは、具体的には、
前記セカンダリネットワークノードにより送信された、前記セカンダリネットワークノードによりサービスを提供するセルのベアラを更新する前記第１の更新構成情報を受信し、
前記通信モジュールは、具体的には、
前記第１の更新構成情報に基づいて更新後のベアラを確定し、
前記更新後のベアラを介して前記セカンダリネットワークノードと通信することを特徴とする請求項４５又は４６に記載の端末。
【請求項５５】
前記セカンダリネットワークノードによりサービスを提供するマスターセルは第１のセルであり、
前記受信モジュールは、具体的には、
前記セカンダリネットワークノードにより送信された、前記マスターセルを前記第１のセルから前記第２のセルにハンドオーバーする前記第１の更新構成情報を受信し、前記第２のセルは前記セカンダリネットワークノードによりサービスを提供するセルのうちの前記第１のセルを除くセルであり、
前記通信モジュールは、具体的には、
前記第１の更新構成情報が指示する前記第２のセルを介して前記セカンダリネットワークノードと通信することを特徴とする請求項４５又は４６に記載の端末。
【請求項５６】
前記端末は、
マスターネットワークノードへ更新後の前記セカンダリネットワークノードのネットワーク構成を指示する第２の更新構成情報を送信する第３の送信モジュールをさらに備えることを特徴とする請求項４５−５５のいずれか１項に記載の端末。
【発明の詳細な説明】
【技術分野】
【０００１】
本願は、通信分野に関し、具体的には通信方法及び装置に関する。
【背景技術】
【０００２】
異種無線ネットワークでは、互いに異なる種類の基地局が共同ネットワーキングする場合、単一の基地局の帯域幅リソース及びカバレージ領域が制限されるため、複数のセル又は基地局の無線リソースを集めてユーザーにサービスを提供するのは、ユーザーの容量ニーズ及び被覆要件をより満たし易く、このような通信方式は通常に多重接続通信と呼ばれる。
【０００３】
二重接続通信は多重接続通信の実現方式の一つとして、将来の５Ｇネットワーク構築において、新しい無線（Ｎｅｗ  Ｒａｄｉｏ、ＮＲ）をマクロ被覆として独立してネットワークしてもよく、ＮＲマイクロセルでホットスポット被覆を行ってもよい。どのネットワーキング方式を用いても、端末はＬＴＥと５Ｇシステムとが接続する二重接続技術により、無線リソースの利用率を向上させ、システムハンドオーバー遅延を低減させ、ユーザー及びシステム特性を向上させることができる。簡単に言えば、二重接続技術とはノンスタンドアローン（Ｎｏｎ−ｓｔａｎｄａｌｏｎｅ）ＮＲのシナリオにおいて、端末が長期進化型（Ｌｏｎｇ  Ｔｅｒｍ  Ｅｖｏｌｕｔｉｏｎ、ＬＴＥ）セルとＮＲセルを介してデータを同時に受信又は送信するということである。
【０００４】
しかしながら、従来の二重接続シナリオにおいて、マスターネットワークノード（たとえば、マスタ基地局ＭｅＮＢ）がＳ１−ＭＭＥ接続を介してコアネットワークとシグナリングをインタラクションでき、従って、マスターネットワークノードは二重接続的シナリオにおいて端末とシグナリングのインタラクションする必要があり、端末のためにコアネットワークとシグナリングのインタラクションする必要もあり、同時に端末のためにデータを受信又は送信する必要がある。以上のように、二重接続シナリオにおいて、マスターネットワークノード的負荷が大きく、ネットワーク輻輳を引き起こし易い。
【発明の概要】
【０００５】
本願は通信方法及び装置を提供し、二重接続シナリオにおけるマスターネットワークノードの負荷を減少させ、マスターネットワークノードの負荷が大きいことによるネットワーク輻輳のリスクを低減させる。
【０００６】
第１の態様において、通信方法を提供し、セカンダリネットワークノードが前記セカンダリネットワークノードによりサービスを提供するセルのネットワーク状態を取得することと、前記セカンダリネットワークノードが前記セカンダリネットワークノードによりサービスを提供するセルのネットワーク状態に基づき、前記セカンダリネットワークノードによりサービスを提供するセルのネットワーク構成を更新することと、前記セカンダリネットワークノードが前記端末へ前記セカンダリネットワークノードによりサービスを提供するセルのネットワーク構成を更新する第１の更新構成情報を送信することと、を含む。
【０００７】
本願の実施形態では、セカンダリネットワークノードがセカンダリネットワークノードによりサービスを提供するセルのネットワーク状態に基づいてセカンダリネットワークノードによりサービスを提供するセルのネットワーク構成を自主的に更新し、従来技術では、セカンダリネットワークノードのネットワーク状態をマスターネットワークノードで構成する必要があることを回避し、二重接続シナリオにおけるマスターネットワークノードの負荷を減少させ、マスターネットワークノードの負荷が大きいことによるネットワーク輻輳のリスクを低減させる。
【０００８】
さらに、セカンダリネットワークノードがセカンダリネットワークノードによりサービスを提供するセルのネットワーク状態に基づいて、セカンダリネットワークノードによりサービスを提供するセルのネットワーク構成を自主的に更新し、これにより、セカンダリネットワークノードのネットワーク状態を変更するときに、セカンダリネットワークノードとマスターネットワークノードとが接続するシグナリングインタラクションを減少させ、セカンダリネットワークノードとマスターネットワークノードとが接続する転送シグナリングのオーバーヘッドを減少させる。
【０００９】
第１の態様を参照すると、第１の態様の可能な実現方式では、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【００１０】
第１の態様を参照すると、第１の態様の可能な実現方式では、前記セカンダリネットワークノードが前記セカンダリネットワークノードによりサービスを提供するセルのネットワーク状態に基づき、前記セカンダリネットワークノードによりサービスを提供するセルのネットワーク構成を更新することは、前記セカンダリネットワークノードが前記セカンダリネットワークノードによりサービスを提供するセルのネットワーク状態に基づき、前記セカンダリネットワークノードによりサービスを提供するセルを更新することを含み、前記セカンダリネットワークノードが前記端末へ前記セカンダリネットワークノードによりサービスを提供するセルのネットワーク構成を更新する第１の更新構成情報を送信することは、前記セカンダリネットワークノードが前記端末へ前記セカンダリネットワークノードによりサービスを提供するセルを更新する前記第１の更新構成情報を送信することを含む。
【００１１】
セカンダリネットワークノードがセカンダリネットワークノードによりサービスを提供するセルのネットワーク状態に基づき、セカンダリネットワークノードによりサービスを提供するセルを更新し、これにより、端末とセカンダリネットワークノードとが通信する通信品質を向上させる。
【００１２】
第１の態様を参照すると、第１の態様の可能な実現方式では、前記セカンダリネットワークノードが前記セカンダリネットワークノードによりサービスを提供するセルのネットワーク状態を取得することは、前記セカンダリネットワークノードが前記端末により送信された、前記セカンダリネットワークノードによりサービスを提供するセルの測定報告を送信し、前記測定報告は前記セカンダリネットワークノードによりサービスを提供するセルのネットワーク状態を指示することを含む。
【００１３】
第１の態様を参照すると、第１の態様の可能な実現方式では、前記セカンダリネットワークノードによりサービスを提供するセルのネットワーク状態は、前記セカンダリネットワークノードによりサービスを提供するセルと前記端末とが通信するリンクのリンク状態を含み、前記セカンダリネットワークノードが前記セカンダリネットワークノードによりサービスを提供するセルのネットワーク状態に基づき、前記セカンダリネットワークノードによりサービスを提供するセルのネットワーク構成を更新することは、前記セカンダリネットワークノードが前記リンク状態に基づき、前記セカンダリネットワークノードによりサービスを提供するセルと前記端末とが通信する前記リンクを更新することを含み、前記セカンダリネットワークノードが前記端末へ前記セカンダリネットワークノードによりサービスを提供するセルのネットワーク構成を更新する第１の更新構成情報を送信することは、前記セカンダリネットワークノードが前記端末へ前記リンクを更新する前記第１の更新構成情報を送信することを含む。
【００１４】
セカンダリネットワークノードがセカンダリネットワークノードによりサービスセルと端末とが通信するリンクのリンク状態に基づき、セカンダリネットワークノードによりサービスを提供するセルと端末とが通信するリンクを更新し、これにより、端末とセカンダリネットワークノードとが通信する通信品質を向上させる。
【００１５】
第１の態様を参照すると、第１の態様の可能な実現方式では、前記リンク状態は、前記セカンダリネットワークノードによりサービスを提供するセルと前記端末が信号を転送する信号品質を含み、前記セカンダリネットワークノードが前記リンク状態に基づき、前記セカンダリネットワークノードによりサービスを提供するセルと前記端末とが通信する前記リンクを更新することは、前記セカンダリネットワークノードが前記セカンダリネットワークノードによりサービスを提供するセルと前記端末が信号を転送する信号品質に基づき、前記信号を転送するリンクを更新することを含む。
【００１６】
第１の態様を参照すると、第１の態様の可能な実現方式では、前記セカンダリネットワークノードによりサービスを提供するセルのネットワーク状態は、前記セカンダリネットワークノードと前記端末とが接続する接続状態を含み、前記セカンダリネットワークノードが前記セカンダリネットワークノードによりサービスを提供するセルのネットワーク状態に基づき、前記セカンダリネットワークノードによりサービスを提供するセルのネットワーク構成を更新することは、前記セカンダリネットワークノードが前記セカンダリネットワークノードと前記端末とが接続する接続状態に基づき、前記セカンダリネットワークノードによりサービスを提供するセルのネットワーク構成を更新することを含む。
【００１７】
セカンダリネットワークノードがセカンダリネットワークノードによりサービスセルと端末とが接続する接続状態に基づき、セカンダリネットワークノードによりサービスを提供するセルと端末との間の接続を更新し、これにより、端末とセカンダリネットワークノードとが通信する通信品質を向上させる。
【００１８】
第１の態様を参照すると、第１の態様の可能な実現方式では、前記セカンダリネットワークノードと前記端末とが接続する接続状態は前記接続の失敗を指示し、前記セカンダリネットワークノードが前記セカンダリネットワークノードと前記端末とが接続する接続状態に基づき、前記セカンダリネットワークノードによりサービスを提供するセルのネットワーク構成を更新することは、前記セカンダリネットワークノードが前記セカンダリネットワークノードと前記端末とが接続する接続状態に基づき、前記セカンダリネットワークノードと前記端末との間の接続をリリースすることを含み、前記セカンダリネットワークノードが前記端末へ前記セカンダリネットワークノードによりサービスを提供するセルのネットワーク構成を更新する前記第１の更新構成情報を送信することは、前記セカンダリネットワークノードが前記端末へ前記セカンダリネットワークノードと前記端末との間の接続をリリースする前記第１の更新構成情報を送信することを含む。
【００１９】
セカンダリネットワークノードがセカンダリネットワークノードによりサービスセルと端末とが接続する接続状態に基づき、セカンダリネットワークノードによりサービスを提供するセルと端末とが接続する接続を更新し、これにより、端末とセカンダリネットワークノードとが通信する通信品質を向上させる。
【００２０】
第１の態様を参照すると、第１の態様の可能な実現方式では、前記セカンダリネットワークノードが前記セカンダリネットワークノードによりサービスを提供するセルのネットワーク状態を取得することは、前記セカンダリネットワークノードが前記端末により送信された、前記セカンダリネットワークノードによりサービスを提供するセルと前記端末とが接続する接続状態を受信することを含む。
【００２１】
第１の態様を参照すると、第１の態様の可能な実現方式では、前記方法は、前記セカンダリネットワークノードが、前記端末が前記セカンダリネットワークノードを介して転送しようとするデータである転送待ちデータを前記マスターネットワークノードへ送信することをさらに含む。
【００２２】
第１の態様を参照すると、第１の態様の可能な実現方式では、前記方法は、前記セカンダリネットワークノードが前記端末へ前記セカンダリネットワークノードと前記端末との間の接続を再確立する再確立メッセージを送信することをさらに含む。
【００２３】
セカンダリネットワークノードが端末との接続を再確立し、端末がマスターネットワークノードを介して転送するデータを分担し、端末とセカンダリネットワークノードとが通信する通信品質を向上させる。
【００２４】
第１の態様を参照すると、第１の態様の可能な実現方式では、前記方法は、前記セカンダリネットワークノードが前記マスターネットワークノードへ前記セカンダリネットワークノードと前記端末との間の接続の再確立を指示する指示情報を送信することをさらに含む。
【００２５】
第１の態様を参照すると、第１の態様の可能な実現方式では、前記指示情報には前記セカンダリネットワークノードと前記端末との間の接続の再確立の原因が含められる。
【００２６】
第１の態様を参照すると、第１の態様の可能な実現方式では、前記セカンダリネットワークノードによりサービスを提供するセルのネットワーク状態は、前記セカンダリネットワークノードによりサービスを提供するセルのベアラの状態を含み、前記セカンダリネットワークノードが前記セカンダリネットワークノードによりサービスを提供するセルのネットワーク状態を取得することは、前記セカンダリネットワークノードが前記セカンダリネットワークノードによりサービスを提供するセルの前記ベアラの状態を取得することを含み、前記セカンダリネットワークノードが前記セカンダリネットワークノードによりサービスを提供するセルのネットワーク状態に基づき、前記セカンダリネットワークノードによりサービスを提供するセルのネットワーク構成を更新することは、前記セカンダリネットワークノードが前記ベアラの状態に基づき、前記セカンダリネットワークノードによりサービスを提供するセルのベアラを更新することを含み、前記セカンダリネットワークノードが前記端末へ前記セカンダリネットワークノードによりサービスを提供するセルの構成を更新する第１の更新構成情報を送信することは、前記セカンダリネットワークノードが前記端末へ前記セカンダリネットワークノードによりサービスを提供するセルのベアラを更新する前記第１の更新構成情報を送信することを含む。
【００２７】
セカンダリネットワークノードが端末とのベアラを更新することにより、端末とセカンダリネットワークノードとが通信する通信品質を向上させる。
【００２８】
第１の態様を参照すると、第１の態様の可能な実現方式では、前記セカンダリネットワークノードによりサービスを提供するマスターセルは第１のセルであり、前記セカンダリネットワークノードが前記セカンダリネットワークノードによりサービスを提供するセルのネットワーク状態を取得することは、前記セカンダリネットワークノードが前記第１のセルのネットワーク状態を取得することを含み、前記セカンダリネットワークノードが前記セカンダリネットワークノードによりサービスを提供するセルのネットワーク状態に基づき、前記セカンダリネットワークノードによりサービスを提供するセルのネットワーク構成を更新することは、前記セカンダリネットワークノードが前記第１のセルのネットワーク状態に基づき、前記マスターセルを前記第１のセルから第２のセルにハンドオーバーすることを含み、前記第２のセルは前記セカンダリネットワークノードによりサービスを提供するセルのうちの前記第１のセルを除くセルであり、前記セカンダリネットワークノードが前記端末へ前記セカンダリネットワークノードによりサービスを提供するセルの構成を更新する第１の更新構成情報を送信することは、前記セカンダリネットワークノードが前記端末へ前記マスターセルを前記第１のセルから前記第２のセルにハンドオーバーする前記第１の更新構成情報を送信することを含む。
【００２９】
セカンダリネットワークノードがセルのネットワーク状態に基づき、端末と通信するマスターセルをハンドオーバーすることにより、端末とセカンダリネットワークノードとが通信する通信品質を向上させる。
【００３０】
第１の態様を参照すると、第１の態様の可能な実現方式では、前記方法は、前記セカンダリネットワークノードが前記マスターネットワークノードへ更新後の前記セカンダリネットワークノードのネットワーク構成を指示する第２の更新構成情報を送信することをさらに含む。
【００３１】
第２の態様では、通信方法を提供し、端末がセカンダリネットワークノードにより送信された、前記セカンダリネットワークノードによりサービスを提供するセルのネットワーク構成を更新する第１の更新構成情報を受信し、前記セカンダリネットワークノードによりサービスを提供するセルのネットワーク構成は、前記セカンダリネットワークノードが前記セカンダリネットワークノードによりサービスを提供するセルのネットワーク状態に基づいてされることと、前記端末が前記第１の更新構成情報に基づいて前記セカンダリネットワークノードと通信することと、を含む。
【００３２】
本願の実施形態では、セカンダリネットワークノードがセカンダリネットワークノードによりサービスを提供するセルのネットワーク状態に基づいてセカンダリネットワークノードによりサービスを提供するセルのネットワーク構成を自主的に更新し、これにより、従来技術では、セカンダリネットワークノードのネットワーク状態をマスターネットワークノードで構成する必要があることを回避し、二重接続シナリオにおけるマスターネットワークノードの負荷を減少させ、マスターネットワークノードの負荷が大きいことによるネットワーク輻輳のリスクを低減させる。
【００３３】
さらに、セカンダリネットワークノードがセカンダリネットワークノードによりサービスを提供するセルのネットワーク状態に基づいて、セカンダリネットワークノードによりサービスを提供するセルのネットワーク構成を自主的に更新し、これにより、セカンダリネットワークノードのネットワーク状態を変更するときに、セカンダリネットワークノードとマスターネットワークノードとが接続するシグナリングインタラクションを減少させ、セカンダリネットワークノードとマスターネットワークノードとが接続する転送シグナリングのオーバーヘッドを減少させる。
【００３４】
第２の態様を参照すると、第２の態様の可能な実現方式では、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、前記セカンダリネットワークノードと前記端末との間が接続されている接続状態、及び前記セカンダリネットワークノードと前記端末との間が通信するリンクのリンク状態という情報のうちの少なくとも１種を含む。
【００３５】
第２の態様を参照すると、第２の態様の可能な実現方式では、前記端末がセカンダリネットワークノードにより送信された第１の更新構成情報を受信することは、前記端末が前記セカンダリネットワークノードにより送信された、前記セカンダリネットワークノードによりサービスを提供するセルを更新する第１の更新構成情報を受信することを含み、前記端末が前記第１の更新構成情報に基づいて前記セカンダリネットワークノードと通信することは、前記端末が前記第１の更新構成情報に基づいて、更新後の前記セカンダリネットワークノードによりサービスを提供するセルを確定することと、前記端末が前記更新後の前記セカンダリネットワークノードによりサービスを提供するセルを介して前記セカンダリネットワークノードと通信することと、を含む。
【００３６】
セカンダリネットワークノードがセカンダリネットワークノードによりサービスを提供するセルのネットワーク状態に基づき、セカンダリネットワークノードによりサービスを提供するセルを更新し、これにより、端末とセカンダリネットワークノードとが通信する通信品質を向上させる。
【００３７】
第２の態様を参照すると、第２の態様の可能な実現方式では、前記方法は、前記端末が前記セカンダリネットワークノードへ前記セカンダリネットワークノードによりサービスを提供するセルの測定報告を送信し、前記測定報告は前記セカンダリネットワークノードによりサービスを提供するセルのネットワーク状態を指示することをさらに含む。
【００３８】
第２の態様を参照すると、第２の態様の可能な実現方式では、前記セカンダリネットワークノードによりサービスを提供するセルのネットワーク状態は、前記セカンダリネットワークノードによりサービスを提供するセルと前記端末とが通信するリンクのリンク状態を含み、前記端末がセカンダリネットワークノードにより送信された第１の更新構成情報を受信することは、前記端末が前記セカンダリネットワークノードにより送信された、前記リンクを更新する前記第１の更新構成情報を受信することを含み、前記端末が前記第１の更新構成情報に基づいて前記セカンダリネットワークノードと通信することは、前記端末が前記第１の更新構成情報に基づいて更新後のリンクを確定することと、前記端末が前記更新後のリンクを介して前記セカンダリネットワークノードと通信することと、を含む。
【００３９】
セカンダリネットワークノードがセカンダリネットワークノードによりサービスセルと端末とが通信するリンクのリンク状態に基づき、セカンダリネットワークノードによりサービスを提供するセルと端末とが通信するリンクを更新し、これにより、端末とセカンダリネットワークノードとが通信する通信品質を向上させる。
【００４０】
第２の態様を参照すると、第２の態様の可能な実現方式では、前記リンク状態は、前記セカンダリネットワークノードによりサービスを提供するセルと前記端末が信号を転送する信号品質を含む。
【００４１】
第２の態様を参照すると、第２の態様の可能な実現方式では、前記セカンダリネットワークノードによりサービスを提供するセルのネットワーク状態は、前記セカンダリネットワークノードと前記端末とが接続する接続状態を含み、前記接続状態が前記接続の失敗を指示し、前記端末がセカンダリネットワークノードにより送信された第１の更新構成情報を受信することは、前記端末が前記セカンダリネットワークノードにより送信された、前記セカンダリネットワークノードと前記端末との間の接続をリリースする前記第１の更新構成情報を受信することを含む。
【００４２】
セカンダリネットワークノードがセカンダリネットワークノードによりサービスセルと端末とが接続する接続状態に基づき、セカンダリネットワークノードによりサービスを提供するセルと端末との間の接続を更新し、これにより、端末とセカンダリネットワークノードとが通信する通信品質を向上させる。
【００４３】
第２の態様を参照すると、第２の態様の可能な実現方式では、前記方法は、前記端末が前記セカンダリネットワークノードへ前記セカンダリネットワークノードによりサービスを提供するセルと前記端末とが接続する接続状態を送信することをさらに含む。
【００４４】
第２の態様を参照すると、第２の態様の可能な実現方式では、前記方法は、前記端末が前記セカンダリネットワークノードにより送信された、前記セカンダリネットワークノードと前記端末との間の接続を再確立する再確立メッセージを受信することをさらに含む。
【００４５】
セカンダリネットワークノードが端末との接続を再確立し、端末がマスターネットワークノードを介して転送するデータを分担し、端末とセカンダリネットワークノードとが通信する通信品質を向上させる。
【００４６】
第２の態様を参照すると、第２の態様の可能な実現方式では、前記セカンダリネットワークノードによりサービスを提供するセルのネットワーク状態は、前記セカンダリネットワークノードによりサービスを提供するセルのベアラの状態を含み、前記端末がセカンダリネットワークノードにより送信された第１の更新構成情報を受信することは、前記端末が前記セカンダリネットワークノードにより送信された、前記セカンダリネットワークノードによりサービスを提供するセルのベアラを更新する前記第１の更新構成情報を受信することを含み、前記端末が前記第１の更新構成情報に基づいて前記セカンダリネットワークノードと通信することは、前記端末が前記第１の更新構成情報に基づいて更新後のベアラを確定することと、前記端末が前記更新後のベアラを介して前記セカンダリネットワークノードと通信することと、を含む。
【００４７】
セカンダリネットワークノードが端末とのベアラを更新することにより、端末とセカンダリネットワークノードとが通信する通信品質を向上させる。
【００４８】
第２の態様を参照すると、第２の態様の可能な実現方式では、前記セカンダリネットワークノードによりサービスを提供するマスターセルは第１のセルであり、前記端末がセカンダリネットワークノードにより送信された第１の更新構成情報を受信することは、前記端末が前記セカンダリネットワークノードにより送信された、前記マスターセルを前記第１のセルから前記第２のセルにハンドオーバーする前記第１の更新構成情報を受信し、前記第２のセルは前記セカンダリネットワークノードによりサービスを提供するセルのうちの前記第１のセルを除くセルであり、前記端末が前記第１の更新構成情報に基づいて前記セカンダリネットワークノードと通信することは、前記端末が前記第１の更新構成情報が指示する前記第２のセルを介して前記セカンダリネットワークノードと通信することを含む。
【００４９】
セカンダリネットワークノードがセルのネットワーク状態に基づき、端末と通信するマスターセルをハンドオーバーすることにより、端末とセカンダリネットワークノードとが通信する通信品質を向上させる。
【００５０】
第２の態様を参照すると、第２の態様の可能な実現方式では、前記方法は、前記端末がマスターネットワークノードへ更新後の前記セカンダリネットワークノードのネットワーク構成を指示する第２の更新構成情報を送信することをさらに含む。
【００５１】
第３の態様では、セカンダリネットワークノードを提供し、前記端末は第１の態様の方法を実行するユニットを備える。
【００５２】
第４の態様では、端末を提供し、前記ネットワークノードは第２の態様の方法を実行するユニットを備える。
【００５３】
第５の態様では、セカンダリネットワークノードを提供し、前記セカンダリネットワークノードは、メモリ、プロセッサ、入力／出力インタフェース、及び通信インタフェースを備える。メモリ、プロセッサ、入力／出力インタフェース、及び通信インタフェースは、通信接続されて、該メモリが命令を記憶し、該プロセッサが該メモリに記憶されている命令を実行し、前記命令が実行されるときに、前記プロセッサが前記通信インタフェースを介して第１の態様の方法を実行し、且つ入力／出力インタフェースを制御して入力されたデータ及び情報を受信し、操作結果等のデータを出力する。
【００５４】
第６の態様では、端末を提供し、前記端末は、メモリ、プロセッサ、入力／出力インタフェース、及び通信インタフェースを備える。メモリ、プロセッサ、入力／出力インタフェース、及び通信インタフェースは通信接続され、該メモリが命令を記憶し、該プロセッサが該メモリに記憶されている命令を実行し、前記命令が実行されるときに、前記プロセッサが前記通信インタフェースを介して第２の態様の方法を実行し、且つ入力／出力インタフェースを制御して入力されたデータ及び情報を受信し、操作結果等のデータを出力する。
【００５５】
第７の態様では、コンピュータ可読媒体を提供し、前記コンピュータ可読媒体には、ネットワークノードにより実行された、第１の態様の方法を実行する命令を含むプログラムコードが記憶されている。
【００５６】
第８の態様では、コンピュータ可読媒体を提供し、前記コンピュータ可読媒体には、端末により実行された、第１の態様の方法を実行する命令を含むプログラムコードが記憶されている。
【００５７】
第９の態様では、命令を含むコンピュータプログラム製品を提供し、コンピュータ上に実行されているときに、コンピュータが上記各態様の方法を実行する。
【図面の簡単な説明】
【００５８】
【図１】は本願の実施形態に適用される無線通信システム１００を示す図である。
【図２】は本願の実施形態による二重接続通信のシナリオアーキテクチャの概略ブロック図である。
【図３】は従来技術による二重接続通信システムにおけるセカンダリネットワークノードの構成を変更する方法の概略フローチャートである。
【図４】は本願の他の実施形態による通信方法の概略フローチャートである。
【図５】は本願の他の実施形態による通信方法の概略フローチャートである。
【図６】は本願の他の実施形態による通信方法の概略フローチャートである。
【図７】は本願の他の実施形態による通信方法の概略フローチャートである。
【図８】は本願の実施形態によるセカンダリネットワークノードの概略構造図である。
【図９】は本願の実施形態による端末の概略構造図である。
【図１０】は本願の他の実施形態によるセカンダリネットワークノードの概略構造図である。
【図１１】は本願の他の実施形態による端末の概略ブロック図である。
【発明を実施するための形態】
【００５９】
以下、図面を参照しながら、本願の技術案を説明する。
【００６０】
図１は、本願の実施形態に適用される無線通信システム１００を示す図である。該無線通信システム１００は、ネットワークノード１１０を備えてもよい。ネットワークノード１１０は、端末装置と通信する装置であってもよい。ネットワークノード１００は特定の地理領域に通信カバレージを提供でき、且つ該カバレージ領域内に位置する端末装置と通信できる。
【００６１】
図１は、１つのネットワークノード及び２つの端末を例示的に示し、選択肢として、該無線通信システム１００は、複数のネットワークノードを備え、且つ各ネットワークノードのカバレージ領域内には他の数の端末を含んでもよく、本願の実施形態はこれを限しない。
【００６２】
選択肢として、該無線通信システム１００はネットワークコントローラ、移動管理エンティティ等の他のネットワーク実体を含んでもよく、本願の実施形態はこれを限定しない。
【００６３】
理解すべきなのは、本願の技術案は様々な通信システム、たとえば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、長期進化型（Ｌｏｎｇ  Ｔｅｒｍ  Ｅｖｏｌｕｔｉｏｎ、ＬＴＥ）システム、進化型長期発展（Ａｄｖａｎｃｅｄ  ｌｏｎｇ  ｔｅｒｍ  ｅｖｏｌｕｔｉｏｎ、ＬＴＥ−Ａ）システム、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、新無線インタフェース（Ｎｅｗ  Ｒａｄｉｏ  Ａｃｃｅｓｓ  Ｔｅｃｈｎｏｌｏｇｙ、ＮＲ）、５Ｇ等に適用する。
【００６４】
また、理解すべきなのは、本願の実施形態では、端末装置は、移動台（Ｍｏｂｉｌｅ  Ｓｔａｔｉｏｎ、ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（Ｕｓｅｒ  Ｅｑｕｉｐｍｅｎｔ、ＵＥ）、ハンドセット（ｈａｎｄｓｅｔ）、及び携帯用機器（ｐｏｒｔａｂｌｅ  ｅｑｕｉｐｍｅｎｔ）等を含むが、それらに限定されるものではなく、該端末装置は、無線アクセスネットワーク（Ｒａｄｉｏ  Ａｃｃｅｓｓ  Ｎｅｔｗｏｒｋ、ＲＡＮ）により、１つ又は複数のコアネットワークと通信することができ、たとえば、端末装置は、携帯電話（又は「セルラ」電話と呼ばれる）であってもよく、無線通信機能を有するコンピュータ等であってもよく、端末装置は携帯用、ポケットサイズ、ハンドヘルド、コンピュータ内蔵又は車両搭載用の移動装置であってもよい。
【００６５】
本願の実施形態では、ネットワークノードは、アクセスネットワーク装置、たとえば基地局、送信及び受信ポイント（Ｔｒａｎｓｍｉｔ  ａｎｄ  Ｒｅｃｅｉｖｅ  Ｐｏｉｎｔ、ＴＲＰ）又はアクセスポイントであってもよく、基地局がＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡにおける基地局（ＮｏｄｅＢ）であってもよく、またＬＴＥにおける進化型基地局（ｅｖｏｌｖｅｄ  Ｎｏｄｅ  Ｂ、ｅＮＢ又はｅ−ＮｏｄｅＢ）であってもよく、ＮＲ又は５Ｇの基地局（ｇＮＢ）であってもよく、本願の実施形態は、これらを具体的に限定しない。
【００６６】
図２は、本願の実施形態による二重接続通信のシナリオアーキテクチャの概略ブロック図である。図２に示される二重接続通信のシナリオアーキテクチャにおいて、ＬＴＥ  ｅＮＢはマスタ基地局（又はマスターネットワークノード）としてコアネットワーク装置ＥＰＣとＳ１−ＭＭＥインタフェースを介してシグナリングインタラクションを行い、ＮＲ  ＮｏｄｅＢはセカンダリ基地局としてマスタ基地局とＸ２インタフェースを介してシグナリングインタラクションを行う。上記二重接続通信システムにおける端末は、マスターネットワークノードとマスタ接続を確立でき、且つセカンダリ基地局と少なくとも１つのセカンダリ接続を確立する。端末は、以下の２種の方法によりマスタ基地局及びセカンダリ基地局と通信できる。
１、端末制御プレーンのデータ（たとえば、シグナリング）は主にマスタ接続を介してマスタ基地局に転送され、ユーザープレーンのデータに対して、端末はデータを分割し、マスタ接続及びセカンダリ接続を介して同時に転送でき、セカンダリ基地局はマスタ基地局が端末のユーザープレーンデータの転送を助ける負荷を軽減でき、且つネットワークがユーザープレーンのデータ転送を行う時のスループットを向上させる。
２、端末制御プレーンのデータ（たとえば、シグナリング）は主にマスタ接続を介してマスタ基地局に転送され、ユーザープレーンのデータに対して、端末はセカンダリ接続を介してセカンダリ基地局に転送できる。一番目の転送方法に対して、セカンダリ基地局はマスタ基地局がユーザープレーンデータを転送する負荷をさらに軽減する。
【００６７】
なお、上記図２に示される二重接続通信のシナリオアーキテクチャは、マスターネットワークノードがＬＴＥ  ｅＮＢであり、セカンダリネットワークノードがＮＲ  ＮｏｄｅＢであり、コアネットワーク装置が進化したパケットコア（Ｅｖｏｌｖｅｄ  Ｐａｃｋｅｔ  Ｃｏｒｅ、ＥＰＣ）である通信構造を例として説明したが、本願の実施形態では、マスターネットワークノード、セカンダリネットワークノード及びコアネットワークノードの具体的な表現形式を具体的に限定しない。たとえば、上記二重接続通信シナリオにおけるマスターネットワークノードはＮＲ  ＮｏｄｅＢであってもよく、セカンダリネットワークノードはＬＴＥ  ｅＮＢであってもよく、コアネットワークノードはＮｅｘｔ  Ｇｅｎ  Ｃｏｒｅであってもよく、又は、マスターネットワークノードはＬＴＥ  ｅＮＢであってもよく、セカンダリネットワークノードはＮＲ  ＮｏｄｅＢであってもよく、コアネットワークノードはＮｅｘｔ  Ｇｅｎ  Ｃｏｒｅであってもよい。
【００６８】
しかしながら、従来の二重接続通信システムでは、セカンダリネットワークノードのネットワーク構成（たとえば、セカンダリネットワークノードによりサービスを提供するセルの更新、セカンダリネットワークノードと端末との間のベアラの更新）はマスターネットワークノードを介して更新する必要があり、以下、図３に示される方法を参照しながら具体的に説明する。
【００６９】
図３は従来技術における二重接続通信システムではセカンダリネットワークノードの構成を変更する方法の概略フローチャートである。図３に示される方法は、ステップ３１０と、ステップ３２０と、を含む。
【００７０】
ステップ３１０、マスターネットワークノードはセカンダリ基地局のネットワーク構成を変更するようにセカンダリ基地局に指示するセカンダリ基地局変更要求（ＳｅＮＢ  Ｍｏｄｉｆｉｃａｔｉｏｎ  Ｒｅｑｕｅｓｔ）をセカンダリネットワークノードへ送信する。  
【００７１】
ステップ３２０、マスターネットワークノードは、セカンダリネットワークノードにより送信された、セカンダリ基地局がセカンダリ基地局のネットワーク構成を変更したことを確認するセカンダリ基地局変更要求確認（ＳｅＮＢ  Ｍｏｄｉｆｉｃａｔｉｏｎ  Ｒｅｑｕｅｓｔ  Ａｃｋｎｏｗｌｅｄｇｅ）を受信する。
【００７２】
図３に示される二重接続通信システムにおける、セカンダリネットワークノードの構成を変更する方法から分かるように、セカンダリネットワークノードの構成を変更しようとする場合、マスターネットワークノードにより如何にセカンダリネットワークノードの構成を変更するかを確定する必要がある。たとえば、セカンダリネットワークノードによりサービスを提供するセルを増加又は減少させようとする場合、マスターネットワークノードによりどのセカンダリネットワークノードによりサービスを提供するセルを増加又は減少させるかを確定しなければならない。上記したセカンダリネットワークノード構成を変更する方法は、マスターネットワークノードとセカンダリネットワークノードとの間のインタラクションシグナリングのインタラクションを増加させ、転送シグナリングのオーバーヘッドを高める。
【００７３】
上記課題を解決するために、以下、図４を参照しながら本願の実施形態の通信方法を具体的に説明する。
【００７４】
図４は本願の実施形態による通信方法の概略フローチャートである。図４に示される方法は、ステップ４１０と、ステップ４２０と、ステップ４３０と、を含む。
【００７５】
ステップ４１０、セカンダリネットワークノードは前記セカンダリネットワークノードによりサービスを提供するセルのネットワーク状態を取得する。
【００７６】
なお、ステップ４１０は、セカンダリネットワークノードが端末又は他のネットワークからセカンダリネットワークノードによりサービスを提供するセルのネットワーク状態を取得することを含んでもよく、また、セカンダリネットワークノードが取得したセカンダリネットワークノードによりサービスを提供するセルのネットワーク状態を自主的に測定することを含んでもよい。
【００７７】
選択肢として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、及び前記セカンダリネットワークノードと前記端末が通信するリンクのリンク状態という情報のうちの少なくとも１種を含む。
【００７８】
具体的には、上記信号品質は、セカンダリネットワークノードと端末との間の転送信号の受信電力を含んでもよく、信号の受信電力により該信号の信号品質を指示できる。たとえば、上記信号の受信電力は、基準信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）であってもよく、上記信号品質は基準信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）であってもよい。
【００７９】
上記リンク状態はリンク品質、リンクの輻輳状態、及びリンクが無効であるかどうかを指示する指示情報等を含んでもよい。
【００８０】
上記した前記端末の転送待ちデータを転送するベアラの状態は、ベアラの輻輳状態、該ベアラがサポートするサービス品質（Ｑｕａｌｉｔｙ  ｏｆ  Ｓｅｒｖｉｃｅ、Ｑｏｓ）パラメータ等を含んでもよい。
【００８１】
なお、上記信号品質は従来の通信システムにおいて、端末がセルを測定する測定報告に含められるコンテンツと類似である。測定報告とは異なり、上記信号品質は、端末により測定されてもよく、セカンダリネットワークノードにより自主的に測定されてもよい。本願の実施形態はセカンダリネットワークノードが信号品質を取得する具体的な方法を限定しない。
【００８２】
ステップ４２０、前記セカンダリネットワークノードは前記セカンダリネットワークノードによりサービスを提供するセルのネットワーク状態に基づき、前記セカンダリネットワークノードによりサービスを提供するセルのネットワーク構成を更新する。
【００８３】
具体的には、上記セカンダリネットワークノードがセカンダリネットワークノードによりサービスを提供するセルのネットワーク状態に基づき、前記セカンダリネットワークノードによりサービスを提供するセルのネットワーク構成を更新することは、セカンダリネットワークノードがセカンダリネットワークノードによりサービスを提供するセルのネットワーク状態に基づき、セカンダリネットワークノードによりサービスを提供するセルのネットワーク構成を変更することを指してもよい。
【００８４】
なお、上記したセカンダリネットワークノードによりサービスを提供するセルのネットワーク構成を更新することは、セカンダリネットワークノードによりサービスを提供するセルを更新すること、セカンダリネットワークノードによりサービスを提供するセルのベアラを更新すること、及びセカンダリネットワークノードによりサービスを提供するセルと端末とが通信するリンクを更新すること等を指してもよく、本願の実施形態はネットワーク構成を変更する具体的な方法を限定しない。
【００８５】
ステップ４３０、前記セカンダリネットワークノードは前記端末へ前記セカンダリネットワークノードによりサービスを提供するセルのネットワーク構成を更新する第１の更新構成情報を送信する。
【００８６】
選択肢として、一実施例として、ステップ４２０は、前記セカンダリネットワークノードが前記セカンダリネットワークノードによりサービスを提供するセルのネットワーク状態に基づき、前記セカンダリネットワークノードによりサービスを提供するセルを更新することを含み、ステップ４３０は、前記セカンダリネットワークノードが前記端末へ前記セカンダリネットワークノードによりサービスを提供するセルを更新する前記第１の更新構成情報を送信することを含む。
【００８７】
具体的には、上記したセカンダリネットワークノードによりサービスを提供するセルを更新することは、セカンダリネットワークノードによりサービスを提供するセルを追加又は削除することを含んでもよい。
【００８８】
なお、上記第１の更新構成情報には上記追加又は削除したセカンダリネットワークノードによりサービスを提供するセルのセルＩＤが含められてもよく、また、上記第１の更新構成情報には更新後のセカンダリネットワークノードによりサービスを提供するすべてのセルのセルＩＤが含められてもよい。
【００８９】
選択肢として、前記セカンダリネットワークノードが前記セカンダリネットワークノードによりサービスを提供するセルのネットワーク状態を取得することは、前記セカンダリネットワークノードが前記端末により送信された、前記セカンダリネットワークノードによりサービスを提供するセルの測定報告を送信し、前記測定報告は前記セカンダリネットワークノードによりサービスを提供するセルのネットワーク状態を指示することを含む。
【００９０】
選択肢として、一実施例として、前記セカンダリネットワークノードによりサービスを提供するセルのネットワーク状態は、前記セカンダリネットワークノードによりサービスを提供するセルと前記端末とが通信するリンクのリンク状態を含み、ステップ４２０は、前記セカンダリネットワークノードが前記リンク状態に基づき、前記セカンダリネットワークノードによりサービスを提供するセルと前記端末とが通信する前記リンクを更新することを含み、ステップ４３０は、前記セカンダリネットワークノードが前記端末へ前記リンクを更新する前記第１の更新構成情報を送信することを含む。
【００９１】
具体的には、上記したセカンダリネットワークノードによりサービスを提供するセルと端末とが通信するリンクを更新することは、セカンダリネットワークノードによりサービスを提供するセルと端末とが通信するリンクを追加又は削除することを含んでもよい。
【００９２】
選択肢として、一実施例として、前記リンク状態は、前記セカンダリネットワークノードによりサービスを提供するセルと前記端末が信号を転送する信号品質を含み、前記セカンダリネットワークノードが前記リンク状態に基づき、前記セカンダリネットワークノードによりサービスを提供するセルと前記端末とが通信する前記リンクを更新することは、前記セカンダリネットワークノードが前記セカンダリネットワークノードによりサービスを提供するセルと前記端末が信号を転送する信号品質に基づき、前記信号を転送するリンクを更新することを含む。
【００９３】
選択肢として、一実施例として、前記セカンダリネットワークノードが前記セカンダリネットワークノードによりサービスを提供するセルのネットワーク状態に基づき、前記セカンダリネットワークノードによりサービスを提供するセルのネットワーク構成を更新することは、前記セカンダリネットワークノードが前記セカンダリネットワークノードと前記端末とが接続する接続状態に基づき、前記セカンダリネットワークノードによりサービスを提供するセルのネットワーク構成を更新することを含む。
【００９４】
具体的には、上記セカンダリネットワークノードと端末との間の接続は、端末がセカンダリネットワークノードにアクセスする接続を指してもよく、たとえば、セカンダリネットワークノードと端末との間のＲＲＣ接続であってもよい。
【００９５】
選択肢として、一実施例として、前記セカンダリネットワークノードは、前記セカンダリネットワークノードと前記端末とが接続する接続状態は前記接続の失敗を指示することに基づき、前記セカンダリネットワークノードが前記セカンダリネットワークノードと前記端末とが接続する接続状態に基づき、前記セカンダリネットワークノードによりサービスを提供するセルのネットワーク構成を更新することは、前記セカンダリネットワークノードが前記セカンダリネットワークノードと前記端末とが接続する接続状態に基づき、前記セカンダリネットワークノードと前記端末との接続をリリースすることを含み、前記セカンダリネットワークノードが前記端末へ前記セカンダリネットワークノードによりサービスを提供するセルのネットワーク構成を更新する前記第１の更新構成情報を送信することは、前記セカンダリネットワークノードが前記端末へ前記セカンダリネットワークノードと前記端末との接続をリリースする前記第１の更新構成情報を送信することを含む。
【００９６】
具体的には、上記したセカンダリネットワークノードと端末との間の接続をリリースすることは、セカンダリネットワークノードが端末にサービスを提供しなくなることである。
【００９７】
選択肢として、一実施例として、前記セカンダリネットワークノードによりサービスを提供するセルのネットワーク状態は、前記セカンダリネットワークノードと前記端末とが接続する接続状態を含み、ステップ４１０は、前記セカンダリネットワークノードが前記セカンダリネットワークノードによりサービスを提供するセルのネットワーク状態を取得することを含み、それは、前記セカンダリネットワークノードが前記端末により送信された、前記セカンダリネットワークノードによりサービスを提供するセルと前記端末とが接続する接続状態を受信することを含む。
【００９８】
選択肢として、一実施例として、前記方法は、前記セカンダリネットワークノードが、前記端末が前記セカンダリネットワークノードを介して転送しようとするデータである転送待ちデータを前記マスターネットワークノードへ送信することをさらに含む。
【００９９】
具体的には、セカンダリネットワークノードは端末がセカンダリネットワークノードを介して転送しようとする転送待ちデータをマスターネットワークノードへ送信し、マスターネットワークノードによりデータ転送を行ってもよい。
【０１００】
なお、上記した端末の転送待ちデータをセカンダリネットワークノードからマスターネットワークノードへ転送することは、セカンダリネットワークノードと端末との間の接続失敗、セカンダリネットワークノードの現在の輻輳状態、及びセカンダリネットワークノードと端末との間のリンクのリンク状態が輻輳状態であることという原因でトリガーされる。本願の実施例は上記トリガー原因を具体的に限定しない。
【０１０１】
選択肢として、一実施例として、前記方法は、前記セカンダリネットワークノードが前記セカンダリネットワークノードと前記端末との間の接続の再確立を確定することと、前記セカンダリネットワークノードが前記端末へ前記セカンダリネットワークノードと前記端末との間の接続を再確立する再確立メッセージを送信することと、をさらに含む。
【０１０２】
理解すべきなのは、上記再確立メッセージはセカンダリネットワークノードと端末との間のＲＲＣ接続再確立メッセージであってもよい。
【０１０３】
選択肢として、一実施例として、前記方法は、前記セカンダリネットワークノードが前記マスターネットワークノードへ前記セカンダリネットワークノードと前記端末との間の接続の再確立を指示する指示情報を送信することをさらに含む。
【０１０４】
具体的には、セカンダリネットワークノードは、セカンダリネットワークノードと端末との間の接続が再確立されたことを指示情報によりマスターネットワークノードに通知でき、マスターネットワークノードが端末にマスターネットワークノードの転送リソース及びセカンダリネットワークノードの転送リソースを合理的に割り当てる。
【０１０５】
選択肢として、一実施例として、前記指示情報には前記セカンダリネットワークノードと前記端末との間の接続の再確立の原因が含められる。
【０１０６】
選択肢として、一実施例として、前記セカンダリネットワークノードによりサービスを提供するセルのネットワーク状態は、前記セカンダリネットワークノードによりサービスを提供するセルのベアラの状態を含み、ステップ４１０は、前記セカンダリネットワークノードが前記セカンダリネットワークノードによりサービスを提供するセルの前記ベアラの状態を取得することを含み、ステップ４２０は、前記セカンダリネットワークノードが前記ベアラの状態に基づき、前記セカンダリネットワークノードによりサービスを提供するセルのベアラを更新することを含み、ステップ４３０は、前記セカンダリネットワークノードが前記端末へ前記セカンダリネットワークノードによりサービスを提供するセルのベアラを更新する前記第１の更新構成情報を送信することを含む。
【０１０７】
具体的には、上記したセカンダリネットワークノードによりサービスを提供するセルのベアラを更新することは、セカンダリネットワークノードによりサービスを提供するセルのベアラを追加及び／又は削除することを含む。
【０１０８】
選択肢として、一実施例として、前記セカンダリネットワークノードによりサービスを提供するマスターセルは第１のセルであり、ステップ４１０は、前記セカンダリネットワークノードが前記第１のセルのネットワーク状態を取得することを含み、ステップ４２０は、前記セカンダリネットワークノードが前記第１のセルのネットワーク状態に基づき、前記マスターセルを前記第１のセルから第２のセルにハンドオーバーすることを含み、前記第２のセルは前記セカンダリネットワークノードによりサービスを提供するセルのうち前記第１のセルを除くセルであり、ステップ４３０は、前記セカンダリネットワークノードが前記端末へ前記マスターセルを前記第１のセルから前記第２のセルにハンドオーバーする前記第１の更新構成情報を送信することを含む。
【０１０９】
具体的には、上記マスターセルはセカンダリネットワークノードによりサービスを提供するセルのうちの他のセルを監視管理できるセルを指してもよい。
【０１１０】
選択肢として、一実施例として、前記方法は、前記セカンダリネットワークノードが前記マスターネットワークノードへ更新後の前記セカンダリネットワークノードのネットワーク構成を指示する第２の更新構成情報を送信することをさらに含む。
【０１１１】
具体的には、セカンダリネットワークノードは第２の更新構成情報をマスターネットワークノードへ送信でき、マスターネットワークノードが端末に転送リソースを合理的に割り当てる。
【０１１２】
なお、上記第２の更新構成情報は上記第１の更新構成情報のコンテンツと同様であってもよく、異なってもよい。
【０１１３】
以下、３種の異なるシナリオの具体的な実施例を参照しながら、本願の実施例の通信方法を説明する。
【０１１４】
図５は本願の実施形態による通信方法の概略フローチャートである。図５は本願の実施例によるセカンダリネットワークノードによりサービスを提供するセルを更新する通信方法を具体的に示し、理解すべきなのは、図５に示される方法は、セカンダリネットワークノードによりサービスを提供するセルを更新することのみを例として説明するが、本願の実施形態はこれに限定されない。図５に示される方法は、ステップ５１０と、ステップ５２０と、ステップ５３０と、ステップ５４０とを含む。
【０１１５】
ステップ５１０、端末はセカンダリネットワークノードへセカンダリネットワークノードによりサービスを提供するセルの測定報告を送信する。
【０１１６】
ステップ５２０、セカンダリネットワークノードはセカンダリネットワークノードによりサービスを提供するセルの測定報告に基づき、セカンダリネットワークノードによりサービスを提供するセルを更新する。
【０１１７】
具体的には、セカンダリネットワークノードによりサービスを提供するセルを更新することは、セカンダリネットワークノードによりサービスを提供するセルを追加及び／又は削除することを含んでもよく、セカンダリネットワークノードによりサービスを提供するセルを更新することは、セカンダリネットワークノードによりサービスを提供するセルのマスターセルをハンドオーバーし、すなわち、現在の端末へサービスを提供するマスターセルをセカンダリネットワークノードへサービスを提供する他のセルにハンドオーバーすることを含んでもよい。
【０１１８】
ステップ５３０、セカンダリネットワークノードは端末にセカンダリネットワークノードによりサービスを提供するセルを更新する第１の更新構成メッセージを端末へ更新する。
【０１１９】
ステップ５４０、セカンダリネットワークノードはセカンダリネットワークノードによりサービスを提供するセルを更新する第２の構成更新情報をマスターネットワークノードへ送信する。
【０１２０】
理解すべきなのは、二重接続通信構造において、マスターネットワークノードを介して端末にマスターネットワークノードの転送リソース及びセカンダリネットワークノードの転送リソースを割り当てる場合、ステップ５４０を実行する必要があり、二重接続通信構造において、コアネットワークノード（たとえば、ＥＰＣ又はＮｅｘｔＧｅｎ  Ｃｏｒｅ）を介して端末にマスターネットワークノードの転送リソース及びセカンダリネットワークノードの転送リソースを割り当てることができる場合、ステップ５４０を実行しなくてもよい。
【０１２１】
なお、上記ステップ５４０をステップ５３０と同時に実行してもよく、ステップ５３０の前に実行してもよく、本願の実施形態はこれを具体的に限定しない。
【０１２２】
図６は本願の実施例による通信方法の概略フローチャートである。図６は本願の実施例によるセカンダリネットワークノードによりサービスを提供するセルと端末との間の接続を更新する通信方法を具体的に示し、理解すべきなのは、図６に示される方法は、セカンダリネットワークノードによりサービスを提供するセルと端末との間の接続を更新することのみを例として説明するが、本願の実施例はこれに限定されるものではない。図６に示される方法は、ステップ６１０と、ステップ６２０と、ステップ６３０と、ステップ６４０と、を含む
【０１２３】
ステップ６１０、端末はセカンダリネットワークノードへ端末とセカンダリネットワークノードとの間の接続の接続状態を送信し、前記接続状態は接続の失敗を指示する。
【０１２４】
ステップ６２０、セカンダリネットワークノードは接続状態に基づき、上記失敗した接続をリリースすることを確定する。
【０１２５】
ステップ６３０、セカンダリネットワークノードは端末へ上記失敗した接続をリリースするように端末に指示する第１の更新構成メッセージを送信する。
【０１２６】
ステップ６４０、マスターネットワークノードは上記失敗した接続をリリースするように指示する第２の更新構成情報を受信する。
【０１２７】
具体的には、ステップ６４０は、  
セカンダリネットワークノードはマスターネットワークノードへ第２の更新構成情報を送信するステップ６４１、
及び、端末はマスターネットワークノードへ第２の更新構成情報を送信するステップ６４２という２つの具体的な実行方法をさらに含んでもよい。
【０１２８】
具体的には、端末はセカンダリネットワークノードにより送信された第１の更新構成情報を受信した後、マスターネットワークノードへ第２の更新構成情報を送信できる。
【０１２９】
選択肢として、端末は上記第２の更新構成情報にセカンダリネットワークノードと端末との間の接続の失敗の原因を含めてもよい。
【０１３０】
理解すべきなのは、二重接続通信構造において、マスターネットワークノードを介して端末にマスターネットワークノードの転送リソース及びセカンダリネットワークノードの転送リソースを割り当てる場合、ステップ６４０を実行する必要があり、二重接続通信構造において、コアネットワークノード（たとえば、ＥＰＣ又はＮｅｘｔＧｅｎ  Ｃｏｒｅ）を介して端末にマスターネットワークノードの転送リソース及びセカンダリネットワークノードの転送リソースを割り当てることができる場合、ステップ６４０を実行しなくてもよい。
【０１３１】
選択肢として、マスターネットワークノードが端末にデータを転送する負担を分担するために、端末とセカンダリネットワークノードとの間の接続が失敗になる場合、図６に示される方法は、ステップ６５０と、ステップ６６０と、をさらに含んでもよい。
【０１３２】
ステップ６５０、セカンダリネットワークノードは端末へセカンダリネットワークノードと端末との間の接続を再確立する再確立メッセージを送信する。
【０１３３】
なお、セカンダリネットワークノードは予め設定した規則に従ってセカンダリネットワークノードと端末との間の接続を再確立するか否かを確定でき、セカンダリネットワークノードは、他のネットワークエレメント（たとえば、マスターネットワークノード、端末又はＥＰＣ）のフィードバックによりセカンダリネットワークノードと端末との間の接続を再確立する必要があるか否かを確定できる。
【０１３４】
ステップ６６０、セカンダリネットワークノードはマスターネットワークノードへセカンダリネットワークノードと端末との間の接続を再確立したことを指示する指示情報を送信する。
【０１３５】
選択肢として、上記指示情報にはセカンダリネットワークノードと端末との間の接続を再確立する原因が含められてもよい。
【０１３６】
理解すべきなのは、二重接続通信構造において、マスターネットワークノードを介して端末にマスターネットワークノードの転送リソース及びセカンダリネットワークノードの転送リソースを割り当てる場合、ステップ６６０を実行する必要があり、二重接続通信構造において、コアネットワークノード（たとえば、ＥＰＣ又はＮｅｘｔＧｅｎ  Ｃｏｒｅ）を介して端末にマスターネットワークノードの転送リソース及びセカンダリネットワークノードの転送リソースを割り当てることができる場合、ステップ６６０を実行しなくてもよい。
【０１３７】
図７は本願の他の実施例による通信方法の概略フローチャートである。図７は、本願の実施例によるセカンダリネットワークノードによりサービスを提供するセルと端末との間の通信の接続を更新する通信方法を具体的に示し、理解すべきなのは、図７に示される方法は、セカンダリネットワークノードによりサービスを提供するセルと端末との間の通信の接続を更新することのみを例として説明するが、本願の実施例はこれに限定されるものではない。図７に示される方法はステップ７１０と、ステップ７２０と、ステップ７３０と、ステップ７４０と、を含む。
【０１３８】
ステップ７１０、セカンダリネットワークノードはセカンダリネットワークノードによりサービスを提供するセルの負荷状態又は端末の転送待ちデータのデータ量を取得する。
【０１３９】
ステップ７２０、セカンダリネットワークノードはセカンダリネットワークノードによりサービスを提供するセルの負荷状態又は端末の転送待ちデータのデータ量に基づき、セカンダリネットワークノードによりサービスを提供するセルと端末との間の通信のリンクを更新することを確定する。
【０１４０】
具体的には、上記したセカンダリネットワークノードによりサービスを提供するセルと端末との間の通信のリンクを更新することは、セカンダリネットワークノードによりサービスを提供するセルと端末との間の通信のリンクを追加及び／又は削除することを含んでもよい。
【０１４１】
ステップ７３０、セカンダリネットワークノードは端末へ端末のためにセカンダリネットワークノードによりサービスを提供するセルと端末との間の通信のリンクを更新する第１の更新構成情報を送信する。
【０１４２】
ステップ７４０、セカンダリネットワークノードはマスターネットワークノードへセカンダリネットワークノードによりサービスを提供するセルと端末との間の通信のリンクを更新する第２の更新構成情報を送信する。
【０１４３】
理解すべきなのは、二重接続通信構造において、マスターネットワークノードを介して端末にマスターネットワークノードの転送リソース及びセカンダリネットワークノードの転送リソースを割り当てる場合、ステップ７４０を実行する必要があり、二重接続通信構造において、コアネットワークノード（たとえば、ＥＰＣ又はＮｅｘｔ  Ｇｅｎ  Ｃｏｒｅ）を介して端末にマスターネットワークノードの転送リソース及びセカンダリネットワークノードの転送リソースを割り当てることができる場合、ステップ７４０を実行しなくてもよい。
【０１４４】
以上、図１〜図７を参照しながら、本願の実施例による通信方法を詳細に説明したが、以下、図８〜図１１を参照しながら、本願の実施例によるセカンダリネットワークノード及び端末を詳細に説明する。理解すべきなのは、図８〜図１１に示される装置は、図４における各ステップを実現でき、繰り返しを避けるために、ここで詳細な説明は省略する。
【０１４５】
図８は本願の実施例によるセカンダリネットワークノードの概略構造図であり、図８に示される装置は、取得モジュール８１０と、更新モジュール８２０と、送信モジュール８３０と、を備える。
【０１４６】
取得モジュールは、前記セカンダリネットワークノードによりサービスを提供するセルのネットワーク状態を取得し、  
更新モジュールは、前記セカンダリネットワークノードによりサービスを提供するセルのネットワーク状態に基づき、前記セカンダリネットワークノードによりサービスを提供するセルのネットワーク構成を更新し、
送信モジュールは、前記端末へ前記セカンダリネットワークノードによりサービスを提供するセルのネットワーク構成を更新する第１の更新構成情報を送信する。
【０１４７】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【０１４８】
選択肢として、一実施例として、前記更新モジュールは、具体的には、前記セカンダリネットワークノードによりサービスを提供するセルのネットワーク状態に基づき、前記セカンダリネットワークノードによりサービスを提供するセルを更新し、前記送信モジュールは、具体的には、前記端末へ前記セカンダリネットワークノードによりサービスを提供するセルを更新する前記第１の更新構成情報を送信する。
【０１４９】
選択肢として、一実施例として、前記取得モジュールは、具体的には、前記端末により送信された、前記セカンダリネットワークノードによりサービスを提供するセルの測定報告を送信し、前記測定報告は前記セカンダリネットワークノードによりサービスを提供するセルのネットワーク状態を指示する。
【０１５０】
選択肢として、一実施例として、前記セカンダリネットワークノードによりサービスを提供するセルのネットワーク状態は、前記セカンダリネットワークノードによりサービスを提供するセルと前記端末とが通信するリンクのリンク状態を含み、前記更新モジュールは、具体的には、前記リンク状態に基づき、前記セカンダリネットワークノードによりサービスを提供するセルと前記端末とが通信する前記リンクを更新し、前記送信モジュールは、具体的には、前記端末へ前記リンクを更新する前記第１の更新構成情報を送信する。
【０１５１】
選択肢として、一実施例として、前記リンク状態は、前記セカンダリネットワークノードによりサービスを提供するセルと前記端末が信号を転送する信号品質を含み、前記更新モジュールは、具体的には、前記セカンダリネットワークノードによりサービスを提供するセルと前記端末が信号を転送する信号品質に基づき、前記信号を転送するリンクを更新する。
【０１５２】
選択肢として、一実施例として、前記セカンダリネットワークノードによりサービスを提供するセルのネットワーク状態は、前記セカンダリネットワークノードと前記端末とが接続する接続状態を含み、前記更新モジュールは、具体的には、前記セカンダリネットワークノードが前記セカンダリネットワークノードと前記端末とが接続する接続状態に基づき、前記セカンダリネットワークノードによりサービスを提供するセルのネットワーク構成を更新する。
【０１５３】
選択肢として、一実施例として、前記セカンダリネットワークノードと前記端末とが接続する接続状態は前記接続の失敗を指示し、前記更新モジュールは、具体的には、前記セカンダリネットワークノードと前記端末とが接続する接続状態に基づき、前記セカンダリネットワークノードと前記端末との間の接続をリリースし、前記送信モジュールは、具体的には、前記端末へ前記セカンダリネットワークノードと前記端末との間の接続をリリースする前記第１の更新構成情報を送信する。
【０１５４】
選択肢として、一実施例として、前記取得モジュールは、具体的には、前記端末により送信された、前記セカンダリネットワークノードによりサービスを提供するセルと前記端末とが接続する接続状態を受信する。
【０１５５】
選択肢として、一実施例として、前記送信モジュールは、具体的には、前記端末が前記セカンダリネットワークノードを介して転送しようとするデータである転送待ちデータを前記マスターネットワークノードへ送信する。
【０１５６】
選択肢として、一実施例として、前記送信モジュールはさらに、前記端末へ前記セカンダリネットワークノードと前記端末との間の接続を再確立する再確立メッセージを送信する。
【０１５７】
選択肢として、一実施例として、前記送信モジュールはさらに、前記マスターネットワークノードへ前記セカンダリネットワークノードと前記端末との間の接続の再確立を指示する指示情報を送信する。
【０１５８】
選択肢として、一実施例として、前記指示情報には前記セカンダリネットワークノードと前記端末との間の接続の再確立の原因が含められる。
【０１５９】
選択肢として、一実施例として、前記セカンダリネットワークノードによりサービスを提供するセルのネットワーク状態は、前記セカンダリネットワークノードによりサービスを提供するセルのベアラの状態を含み、前記取得モジュールは、具体的には、前記セカンダリネットワークノードによりサービスを提供するセルの前記ベアラの状態を取得し、前記更新モジュールは、具体的には、前記ベアラの状態に基づき、前記セカンダリネットワークノードによりサービスを提供するセルのベアラを更新し、前記送信モジュールは、具体的には、前記端末へ前記セカンダリネットワークノードによりサービスを提供するセルのベアラを更新する前記第１の更新構成情報を送信する。
【０１６０】
選択肢として、一実施例として、前記セカンダリネットワークノードによりサービスを提供するマスターセルは第１のセルであり、前記取得モジュールは、具体的には、前記第１のセルのネットワーク状態を取得し、前記更新モジュールは、具体的には、前記第１のセルのネットワーク状態に基づき、前記マスターセルを前記第１のセルから第２のセルにハンドオーバーし、前記第２のセルは前記セカンダリネットワークノードによりサービスを提供するセルのうちの前記第１のセルを除くセルであり、前記送信モジュールは、具体的には、前記端末へ前記マスターセルを前記第１のセルから前記第２のセルにハンドオーバーする前記第１の更新構成情報を送信する。
【０１６１】
選択肢として、一実施例として、前記送信モジュールはさらに、前記マスターネットワークノードへ更新後の前記セカンダリネットワークノードのネットワーク構成を指示する第２の更新構成情報を送信する。
【０１６２】
図９は本願の実施例による端末の概略構造図であり、図９に示される装置は、受信モジュール９１０と、通信モジュール９２０と、を備える。
【０１６３】
受信モジュールは、セカンダリネットワークノードにより送信された、前記セカンダリネットワークノードによりサービスを提供するセルのネットワーク構成を更新する第１の更新構成情報を受信し、前記セカンダリネットワークノードによりサービスを提供するセルのネットワーク構成は、前記セカンダリネットワークノードが前記セカンダリネットワークノードによりサービスを提供するセルのネットワーク状態に基づいて更新される。
通信モジュールは、前記第１の更新構成情報に基づいて前記セカンダリネットワークノードと通信する。
【０１６４】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【０１６５】
選択肢として、一実施例として、前記受信モジュールは、具体的には、前記セカンダリネットワークノードにより送信された、前記セカンダリネットワークノードによりサービスを提供するセルを更新する第１の更新構成情報を受信し、前記通信モジュールは、具体的には、前記第１の更新構成情報に基づいて、更新後の前記セカンダリネットワークノードによりサービスを提供するセルを確定し、前記更新後の前記セカンダリネットワークノードによりサービスを提供するセルを介して前記セカンダリネットワークノードと通信する。
【０１６６】
選択肢として、一実施例として、前記端末は、前記セカンダリネットワークノードへ前記セカンダリネットワークノードによりサービスを提供するセルの測定報告を送信し、前記測定報告は前記セカンダリネットワークノードによりサービスを提供するセルのネットワーク状態を指示する第１の送信モジュールをさらに備える。
【０１６７】
選択肢として、一実施例として、前記セカンダリネットワークノードによりサービスを提供するセルのネットワーク状態は、前記セカンダリネットワークノードによりサービスを提供するセルと前記端末とが通信するリンクのリンク状態を含み、前記受信モジュールは、具体的には、前記セカンダリネットワークノードにより送信された、前記リンクを更新する前記第１の更新構成情報を受信し、前記通信モジュールは、具体的には、前記第１の更新構成情報に基づいて更新後のリンクを確定し、前記更新後のリンクを介して前記セカンダリネットワークノードと通信する。
【０１６８】
選択肢として、一実施例として、前記リンク状態は、前記セカンダリネットワークノードによりサービスを提供するセルと前記端末が信号を転送する信号品質を含む。
【０１６９】
選択肢として、一実施例として、前記セカンダリネットワークノードによりサービスを提供するセルのネットワーク状態は、前記セカンダリネットワークノードと前記端末とが接続する接続状態を含み、前記接続状態が前記接続の失敗を指示し、前記受信モジュールは、具体的には、前記セカンダリネットワークノードにより送信された、前記セカンダリネットワークノードと前記端末との間の接続をリリースする前記第１の更新構成情報を受信する。
【０１７０】
選択肢として、一実施例として、前記端末は、前記セカンダリネットワークノードへ前記セカンダリネットワークノードによりサービスを提供するセルと前記端末とが接続する接続状態を送信する第２の送信モジュールをさらに備える。
【０１７１】
選択肢として、一実施例として、前記受信モジュールはさらに、前記セカンダリネットワークノードにより送信された、前記セカンダリネットワークノードと前記端末との間の接続を再確立する再確立メッセージを受信する。
【０１７２】
選択肢として、一実施例として、前記セカンダリネットワークノードによりサービスを提供するセルのネットワーク状態は、前記セカンダリネットワークノードによりサービスを提供するセルのベアラの状態を含み、前記受信モジュールは、具体的には、前記セカンダリネットワークノードにより送信された、前記セカンダリネットワークノードによりサービスを提供するセルのベアラを更新する前記第１の更新構成情報を受信し、前記通信モジュールは、具体的には、前記第１の更新構成情報に基づいて更新後のベアラを確定し、前記更新後のベアラを介して前記セカンダリネットワークノードと通信する。
【０１７３】
選択肢として、一実施例として、前記セカンダリネットワークノードによりサービスを提供するマスターセルは第１のセルであり、前記受信モジュールは、具体的には、前記セカンダリネットワークノードにより送信された、前記マスターセルを前記第１のセルから前記第２のセルにハンドオーバーする前記第１の更新構成情報を受信し、前記第２のセルは前記セカンダリネットワークノードによりサービスを提供するセルのうちの前記第１のセルを除くセルであり、前記通信モジュールは、具体的には、前記第１の更新構成情報が指示する前記第２のセルを介して前記セカンダリネットワークノードと通信する。
【０１７４】
選択肢として、一実施例として、前記端末は、マスターネットワークノードへ更新後の前記セカンダリネットワークノードのネットワーク構成を指示する第２の更新構成情報を送信する第３の送信モジュールをさらに備える。
【０１７５】
図１０は本願の他の実施例によるセカンダリネットワークノードの概略構造図である。図１０に示されるセカンダリネットワークノード１０００は、メモリ１０１０、プロセッサ１０２０、入力／出力インタフェース１０３０、及び通信インタフェース１０４０を備える。メモリ１０１０、プロセッサ１０２０、入力／出力インタフェース１０３０、及び通信インタフェース１０４０は内部接続通路を介して接続され、該メモリ１０１０が命令を記憶し、該プロセッサ１０２０が該メモリ１０２０に記憶されている命令を実行し、入力／出力インタフェース１０３０を制御して入力したデータ及び情報を受信させ、操作結果等のデータを出力させ、且つ通信インタフェース１０４０を制御して信号を送信させる。
【０１７６】
プロセッサは、前記セカンダリネットワークノードによりサービスを提供するセルのネットワーク状態を取得し、さらに、前記セカンダリネットワークノードによりサービスを提供するセルのネットワーク状態に基づき、前記セカンダリネットワークノードによりサービスを提供するセルのネットワーク構成を更新する。
【０１７７】
通信インタフェースは、前記端末へ前記セカンダリネットワークノードによりサービスを提供するセルのネットワーク構成を更新する第１の更新構成情報を送信する。
【０１７８】
理解すべきなのは、本願の実施例では、該プロセッサ１０２０は汎用中央プロセッサ（Ｃｅｎｔｒａｌ  Ｐｒｏｃｅｓｓｉｎｇ  Ｕｎｉｔ、ＣＰＵ）、マイクロプロセッサー、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ又は複数の集積回路を用いてもよく、関連プログラムを実行し、それにより本願の実施例で提供される技術案を実現する。
【０１７９】
また、理解すべきなのは、限定はしないが、通信インタフェース１０４０は送受信機のような送受信装置を用いて、Ｄ２Ｄ装置１０００と他の装置又は通信ネットワークとの間の通信を実現する。
【０１８０】
該メモリ１０１０は、読み出し専用メモリ及びランダムアクセスメモリを含んでもよく、プロセッサ１０２０に命令及びデータを提供する。プロセッサ１０２０の一部は不揮発性ランダムアクセスメモリを含んでもよい。たとえば、プロセッサ１０２０は記憶装置タイプの情報を記憶できる。
【０１８１】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【０１８２】
選択肢として、一実施例として、前記プロセッサは、具体的には、前記セカンダリネットワークノードによりサービスを提供するセルのネットワーク状態に基づき、前記セカンダリネットワークノードによりサービスを提供するセルを更新し、前記通信インタフェースは、具体的には、前記端末へ前記セカンダリネットワークノードによりサービスを提供するセルを更新する前記第１の更新構成情報を送信する。
【０１８３】
選択肢として、一実施例として、前記プロセッサは、具体的には、前記端末により送信された、前記セカンダリネットワークノードによりサービスを提供するセルの測定報告を送信し、前記測定報告は前記セカンダリネットワークノードによりサービスを提供するセルのネットワーク状態を指示する。
【０１８４】
選択肢として、一実施例として、前記セカンダリネットワークノードによりサービスを提供するセルのネットワーク状態は、前記セカンダリネットワークノードによりサービスを提供するセルと前記端末とが通信するリンクのリンク状態を含み、前記プロセッサは、具体的には、前記リンク状態に基づき、前記セカンダリネットワークノードによりサービスを提供するセルと前記端末とが通信する前記リンクを更新し、前記通信インタフェースは、具体的には、前記端末へ前記リンクを更新する前記第１の更新構成情報を送信する。
【０１８５】
選択肢として、一実施例として、前記リンク状態は、前記セカンダリネットワークノードによりサービスを提供するセルと前記端末が信号を転送する信号品質を含み、前記プロセッサは、具体的には、前記セカンダリネットワークノードによりサービスを提供するセルと前記端末が信号を転送する信号品質に基づき、前記信号を転送するリンクを更新する。
【０１８６】
選択肢として、一実施例として、前記セカンダリネットワークノードによりサービスを提供するセルのネットワーク状態は、前記セカンダリネットワークノードと前記端末とが接続する接続状態を含み、前記プロセッサは、具体的には、前記セカンダリネットワークノードが前記セカンダリネットワークノードと前記端末とが接続する接続状態に基づき、前記セカンダリネットワークノードによりサービスを提供するセルのネットワーク構成を更新する。
【０１８７】
選択肢として、一実施例として、前記セカンダリネットワークノードと前記端末とが接続する接続状態は前記接続の失敗を指示し、前記プロセッサは、具体的には、前記セカンダリネットワークノードと前記端末とが接続する接続状態に基づき、前記セカンダリネットワークノードと前記端末との間の接続をリリースし、前記通信インタフェースは、具体的には、前記端末へ前記セカンダリネットワークノードと前記端末との間の接続をリリースする前記第１の更新構成情報を送信する。
【０１８８】
選択肢として、一実施例として、前記プロセッサは、具体的には、前記端末により送信された、前記セカンダリネットワークノードによりサービスを提供するセルと前記端末とが接続する接続状態を受信する。
【０１８９】
選択肢として、一実施例として、前記通信インタフェースは、具体的には、前記端末が前記セカンダリネットワークノードを介して転送しようとするデータである転送待ちデータを前記マスターネットワークノードへ送信する。
【０１９０】
選択肢として、一実施例として、前記通信インタフェースはさらに、前記端末へ前記セカンダリネットワークノードと前記端末との間の接続を再確立する再確立メッセージを送信する。
【０１９１】
選択肢として、一実施例として、前記通信インタフェースはさらに、前記マスターネットワークノードへ前記セカンダリネットワークノードと前記端末との間の接続の再確立を指示する指示情報を送信する。
【０１９２】
選択肢として、一実施例として、前記指示情報には前記セカンダリネットワークノードと前記端末との間の接続の再確立の原因が含められる。
【０１９３】
選択肢として、一実施例として、前記セカンダリネットワークノードによりサービスを提供するセルのネットワーク状態は、前記セカンダリネットワークノードによりサービスを提供するセルのベアラの状態を含み、前記プロセッサは、具体的には、前記セカンダリネットワークノードによりサービスを提供するセルの前記ベアラの状態を取得し、前記プロセッサは、具体的には、前記ベアラの状態に基づき、前記セカンダリネットワークノードによりサービスを提供するセルのベアラを更新し、前記通信インタフェースは、具体的には、前記端末へ前記セカンダリネットワークノードによりサービスを提供するセルのベアラを更新する前記第１の更新構成情報を送信する。
【０１９４】
選択肢として、一実施例として、前記セカンダリネットワークノードによりサービスを提供するマスターセルは第１のセルであり、前記プロセッサは、具体的には、前記第１のセルのネットワーク状態を取得し、前記プロセッサは、具体的には、前記第１のセルのネットワーク状態に基づき、前記マスターセルを前記第１のセルから第２のセルにハンドオーバーし、前記第２のセルは前記セカンダリネットワークノードによりサービスを提供するセルのうちの前記第１のセルを除くセルであり、前記通信インタフェースは、具体的には、前記端末へ前記マスターセルを前記第１のセルから前記第２のセルにハンドオーバーする前記第１の更新構成情報を送信する。
【０１９５】
選択肢として、一実施例として、前記通信インタフェースはさらに、前記マスターネットワークノードへ更新後の前記セカンダリネットワークノードのネットワーク構成を指示する第２の更新構成情報を送信する。
【０１９６】
図１１は、本願の他の実施例による端末の概略ブロック図である。図１１に示される端末１１００は、メモリ１１１０、プロセッサ１１２０、入力／出力インタフェース１１３０、及び通信インタフェース１１４０を備える。メモリ１１１０、プロセッサ１１２０、入力／出力インタフェース１１３０、及び通信インタフェース１１４０は内部接続通路を介して接続され、該メモリ１１１０が命令を記憶し、該プロセッサ１１２０が該メモリ１１２０に記憶されている命令を実行し、入力／出力インタフェース１１３０を制御して入力したデータ及び情報を受信させ、操作結果等のデータを出力し、且つ通信インタフェース１１４０を制御して信号を送信させる。
【０１９７】
通信インタフェースは、セカンダリネットワークノードにより送信された、前記セカンダリネットワークノードによりサービスを提供するセルのネットワーク構成を更新する第１の更新構成情報を受信し、前記セカンダリネットワークノードによりサービスを提供するセルのネットワーク構成は、前記セカンダリネットワークノードが前記セカンダリネットワークノードによりサービスを提供するセルのネットワーク状態に基づいて更新され、通信インタフェースはさらに、前記第１の更新構成情報に基づいて前記セカンダリネットワークノードと通信する。
【０１９８】
理解すべきなのは、本願の実施例では、該プロセッサ１１２０は、汎用中央プロセッサ（Ｃｅｎｔｒａｌ  Ｐｒｏｃｅｓｓｉｎｇ  Ｕｎｉｔ、ＣＰＵ）、マイクロプロセッサー、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ又は複数の集積回路を用いてもよく、関連プログラムを実行し、それにより本願の実施例により提供される技術案を実現する。
【０１９９】
また、理解すべきなのは、限定はしないが、通信インタフェース１１４０は送受信機のような送受信装置を用いて、Ｄ２Ｄ装置１１００と他の装置又は通信ネットワークとの間の通信を実現する。
【０２００】
該メモリ１１１０は、読み出し専用メモリ及びランダムアクセスメモリを含んでもよく、且つプロセッサ１１２０へ命令及びデータを提供する。プロセッサ１１２０の一部はさらに不揮発性ランダムアクセスメモリを含んでもよい。たとえば、プロセッサ１１２０はさらに記憶装置タイプの情報を記憶できる。
【０２０１】
選択肢として、一実施例として、前記セカンダリネットワークノードによりサービスを提供するセルのネットワーク状態は、前記セカンダリネットワークノードによりサービスを提供するセルの輻輳状態、前記端末が前記セカンダリネットワークノードを介して転送しようとする転送待ちデータ量、前記端末の転送待ちデータを転送する前記セカンダリネットワークノードによりサービスを提供するセルのベアラの状態、前記セカンダリネットワークノードによりサービスを提供するセルと前記端末が信号を転送する信号品質、前記セカンダリネットワークノードと前記端末とが接続されている接続状態、及び前記セカンダリネットワークノードと前記端末とが通信するリンクのリンク状態という情報のうちの少なくとも１種を含む。
【０２０２】
選択肢として、一実施例として、前記通信インタフェースは、具体的には、前記セカンダリネットワークノードにより送信された、前記セカンダリネットワークノードによりサービスを提供するセルを更新する第１の更新構成情報を受信し、前記通信モジュールは、具体的には、前記第１の更新構成情報に基づいて、更新後の前記セカンダリネットワークノードによりサービスを提供するセルを確定し、前記更新後の前記セカンダリネットワークノードによりサービスを提供するセルを介して前記セカンダリネットワークノードと通信する。
【０２０３】
選択肢として、一実施例として、前記通信インタフェースはさらに、前記セカンダリネットワークノードへ前記セカンダリネットワークノードによりサービスを提供するセルの測定報告を送信し、前記測定報告は前記セカンダリネットワークノードによりサービスを提供するセルのネットワーク状態を指示する。
【０２０４】
選択肢として、一実施例として、前記セカンダリネットワークノードによりサービスを提供するセルのネットワーク状態は、前記セカンダリネットワークノードによりサービスを提供するセルと前記端末とが通信するリンクのリンク状態を含み、前記通信インタフェースは、具体的には、前記セカンダリネットワークノードにより送信された、前記リンクを更新する前記第１の更新構成情報を受信し、前記通信モジュールは、具体的には、前記第１の更新構成情報に基づいて更新後のリンクを確定し、前記更新後のリンクを介して前記セカンダリネットワークノードと通信する。
【０２０５】
選択肢として、一実施例として、前記リンク状態は、前記セカンダリネットワークノードによりサービスを提供するセルと前記端末が信号を転送する信号品質を含む。
【０２０６】
選択肢として、一実施例として、前記セカンダリネットワークノードによりサービスを提供するセルのネットワーク状態は、前記セカンダリネットワークノードと前記端末とが接続する接続状態を含み、前記接続状態が前記接続の失敗を指示し、前記通信インタフェースは、具体的には、前記セカンダリネットワークノードにより送信された、前記セカンダリネットワークノードと前記端末との間の接続をリリースする前記第１の更新構成情報を受信する。
【０２０７】
選択肢として、一実施例として、前記通信インタフェースはさらに、前記セカンダリネットワークノードへ前記セカンダリネットワークノードによりサービスを提供するセルと前記端末とが接続する接続状態を送信する。
【０２０８】
選択肢として、一実施例として、前記通信インタフェース、さらに、前記セカンダリネットワークノードにより送信された、前記セカンダリネットワークノードと前記端末との間の接続を再確立する再確立メッセージを受信する。
【０２０９】
選択肢として、一実施例として、前記セカンダリネットワークノードによりサービスを提供するセルのネットワーク状態は、前記セカンダリネットワークノードによりサービスを提供するセルのベアラの状態を含み、前記通信インタフェースは、具体的には、前記セカンダリネットワークノードにより送信された、前記セカンダリネットワークノードによりサービスを提供するセルのベアラを更新する前記第１の更新構成情報を受信し、前記通信モジュールは、具体的には、前記第１の更新構成情報に基づいて更新後のベアラを確定し、前記更新後のベアラを介して前記セカンダリネットワークノードと通信する。
【０２１０】
選択肢として、一実施例として、前記セカンダリネットワークノードによりサービスを提供するマスターセルは第１のセルであり、前記通信インタフェースは、具体的には、前記セカンダリネットワークノードにより送信された、前記マスターセルを前記第１のセルから前記第２のセルにハンドオーバーする前記第１の更新構成情報を受信し、前記第２のセルは前記セカンダリネットワークノードによりサービスを提供するセルのうちの前記第１のセルを除くセルであり、前記通信モジュールは、具体的には、前記第１の更新構成情報が指示する前記第２のセルを介して前記セカンダリネットワークノードと通信する。
【０２１１】
選択肢として、一実施例として、前記通信インタフェースはさらに、マスターネットワークノードへ更新後の前記セカンダリネットワークノードのネットワーク構成を指示する第２の更新構成情報を送信する。
【０２１２】
理解すべきなのは、本願の実施形態では、「Ａに対応するＢ」ということは、ＢがＡに関連付けられ、Ａに基づいてＢを確定できることを意味する。しかしながら、理解すべきなのは、Ａに基づいてＢを確定することは、Ａに基づいてＢを確定するだけであることを意味するのではなく、また、Ａ及び／又は他の情報に基づいてＢを確定できることを意味する。
【０２１３】
理解すべきなのは、本明細書の用語「及び／又は」は、ただ関連対象の関連関係を説明するためのものであり、３種の関係があることを意味し、たとえば、Ａ及び／又はＢは、Ａが単独存在し、ＡとＢが同時に存在し、Ｂが単独存在するという３種の状況を表す。また、本明細書における文字「／」は、通常に、前後関連対象が「又は」の関係であることを表す。
【０２１４】
理解すべきなのは、本願の様々な実施例では、上記各プロセスの番号の大きさは実行順次の前後を意味するものではなく、各プロセスの実行順次がその機能及び内部論理に基づいて確定され、本願の実施例の実施過程を限定するものではない。
【０２１５】
本願により提供されるいくつかの実施形態では、理解すべきなのは、開示されるシステム、装置及び方法は、他の方式によって実現できる。たとえば、説明した装置の実施例は単に例示的なものであり、たとえば、前記ユニットの分割は、論理的な機能の分割にすぎず、実際に実現するときに、更なる分割方式があり、たとえば、複数のユニット又はアセンブリを別のシステムに組み合わせ又は他のシステムに統合してもよく、又はいくつかの特徴を無視してもよく、又は実行しなくてもてもよい。さらに、表示又は検討している相互結合又は直接結合又は通信接続は、いくつかのインタフェース、装置又はユニットを介した間接結合又は通信接続であってもよく、電気特性、機械又は他の形式であってもよい。
【０２１６】
分離部材として説明した前記ユニットは、物理的に分離されていてもいなくてもよく、ユニットとして表示される部材は物理ユニットであってもなくてもよく、すなわち、同じ位置に位置してもよく、又は複数のネットワークユニットにおいて分布してもよい。実際の需要に応じてその一部又は全部のユニットを選択して本実施例の技術案の目的を実現できる。
【０２１７】
また、本願の各実施例における各機能ユニットは、１つの処理ユニットに統合してもよく、各ユニットが単独に物理的に存在してもよく、２つ又は２つ以上のユニットが１つのユニットに統合してもよい。
【０２１８】
上記実施例では、すべて又は一部がソフトウェア、ハードウェア、ファームウェア又はその任意の組合せによって実現できる。ソフトウェアによって実現するときに、すべて又は一部がコンピュータプログラム製品の形態で実現される。前記コンピュータプログラム製品は、１つ又は複数のコンピュータ命令を含む。コンピュータにおいて前記コンピュータプログラム命令をアップロード及び実行するときに、すべて又は一部が本願の実施例に記載のプロセス又は機能を生成する。前記コンピュータは汎用コンピュータ、専用コンピュータ、コンピュータネットワーク、又は他のプログラマブル装置であってもよい。前記コンピュータ命令は、コンピュータ可読記憶媒体に記憶されてもよく、又は一方のコンピュータ可読記憶媒体から他方のコンピュータ可読記憶媒体へ転送されてもよく、たとえば、前記コンピュータ命令は、一方のウエブサイト、コンピュータ、サーバ又はデータセンターから有線（たとえば同軸ケーブル、光ファイバー、デジタル加入者線（Ｄｉｇｉｔａｌ  Ｓｕｂｓｃｒｉｂｅｒ  Ｌｉｎｅ、ＤＳＬ））又は無線（たとえば赤外、無線、マイクロ波等）方式によって他方のウエブサイト、コンピュータ、サーバ又はデータセンターへ転送できる。前記コンピュータ可読記憶媒体は、コンピュータによって読み取ることができる任意の使用可能な媒体又は１つ又は複数の使用可能な媒体で統合されるサーバ、データセンター等のデータ記憶装置であってもよい。前記使用可能な媒体は、磁気メディア、（たとえば、フロッピーディスク、ハードディスク、テープ）、光学媒体（たとえば、デジタル汎用ディスク（Ｄｉｇｉｔａｌ  Ｖｉｄｅｏ  Ｄｉｓｃ、ＤＶＤ））又は半導体媒体（たとえば、固体ハードディスク（Ｓｏｌｉｄ  Ｓｔａｔｅ  Ｄｉｓｋ、ＳＳＤ））等であってもよい。
【０２１９】
以上は、本願の具体的な実施形態にすぎず、本願の保護範囲はそれに限定されるものではなく、当業者は、本願で開示された技術範囲内に容易に想到できる変化又は置換が本願の保護範囲内に含まれるべきである。従って、本願の保護範囲は請求項の保護範囲を基準とする。
【図１】
2020511844.tif 000003
【図２】
2020511844.tif 000004
【図３】
2020511844.tif 000005
【図４】
2020511844.tif 000006
【図５】
2020511844.tif 000007
【図６】
2020511844.tif 000008
【図７】
2020511844.tif 000009
【図８】
2020511844.tif 000010
【図９】
2020511844.tif 000011
【図１０】
2020511844.tif 000012
【図１１】
2020511844.tif 000013
【国際調査報告】
2020511844.tif 000014
2020511844.tif 000015
2020511844.tif 000016
2020511844.tif 000017